(57)【要約】【課題】ＩＰネットワークを介した通話において、通話中に会話が途切れたり、欠落したり、急激に著しく歪んだりするのを防止することができるＶｏＩＰ送受信システムを提供することを目的とする。【解決手段】送信ＶｏＩＰ端末装置１は、パケットを順次ＩＰネットワーク４に送出するパケット送信部３と、ＩＰネットワーク４の混雑状況を示すトラフィックを検知し伝送可否を決定するトラフィック検知部７とを備え、パケット送信部３は、トラフィック検知部７における決定に基いて送出パケットを所定間隔で抜くパケット送信制御部９を有し、受信ＶｏＩＰ端末装置５は、パケットを受信して蓄積する受信バッファ１０を有し、受信バッファ１０は、パケットのヘッダ情報を参照するパケット送信制御部１１と、所定間隔で抜いたパケットをパケット送信制御部１１に指示されて補間するパケット補間部１２とを有する。【選択図】図１
2005294983.tif 000002
【特許請求の範囲】
【請求項１】
音声データとヘッダ情報を含むパケットをＩＰネットワークに送出する送信ＶｏＩＰ端末装置と、前記送信ＶｏＩＰ端末装置から前記ＩＰネットワークを経由して前記パケットを受信する受信ＶｏＩＰ端末装置とから成るＶｏＩＰ送受信システムであって、
前記送信ＶｏＩＰ端末装置は、前記パケットを順次前記ＩＰネットワークに送出するパケット送信部と、前記ＩＰネットワークの混雑状況を示すトラフィックを検知して前記ＩＰネットワーク上の伝送可否を決定するトラフィック検知部とを備え、前記パケット送信部は、前記トラフィック検知部における決定に基いて前記パケット送信部から送出される前記パケットを所定間隔で抜くパケット送信制御部を有し、
前記受信ＶｏＩＰ端末装置は、前記パケットを受信して蓄積するための受信バッファを有し、前記受信バッファは、前記パケットの前記ヘッダ情報を参照するパケット受信制御部と、前記所定間隔で抜いた前記パケットである抜きパケットを前記パケット受信制御部に指示されて補間するパケット補間部とを有することを特徴とするＶｏＩＰ送受信システム。
【請求項２】
前記パケット補間部は、前記抜きパケットの前に送出した前記パケットを用いて補間することを特徴とする請求項１に記載のＶｏＩＰ送受信システム。
【請求項３】
前記パケット補間部は、前記抜きパケットの後に送出した前記パケットを用いて補間することを特徴とする請求項１に記載のＶｏＩＰ送受信システム。
【請求項４】
前記パケット補間部は、前記抜きパケットの前後に送出した前記パケットを平均しかつ前記前後に送出した前記パケットと同一サイズにした前記パケットを用いて補間することを特徴とする請求項１に記載のＶｏＩＰ送受信システム。
【請求項５】
前記パケット補間部は、前記抜きパケットの前に送出した前記パケットの半分と、前記抜きパケットの後に送出した前記パケットの半分とを加算しかつ前記抜きパケットの前後に送出したパケットと同一サイズにした前記パケットを用いて補間することを特徴とする請求項１に記載のＶｏＩＰ送受信システム。
【請求項６】
前記受信ＶｏＩＰ端末装置に代えて、前記パケットを受信して蓄積するための受信バッファを有し、前記受信バッファは、前記パケットの前記ヘッダ情報を参照するパケット受信制御部と、前記パケット受信制御部に指示されてホワイトノイズを発生させると共に前記ホワイトノイズを用いて補間するホワイトノイズ制御部とを有する受信ＶｏＩＰ端末装置を備えたことを特徴とする請求項１に記載のＶｏＩＰ送受信システム。
【請求項７】
前記受信ＶｏＩＰ端末装置に代えて、前記パケットを受信して蓄積するための受信バッファを有し、前記受信バッファは、前記パケットの前記ヘッダ情報を参照するパケット受信制御部と、前記パケット受信制御部に指示されて通話中に周辺雑音を測定しかつデジタル変換して記録するホワイトノイズ測定部と、前記ホワイトノイズ測定部に指示されてホワイトノイズを発生させると共に前記ホワイトノイズを用いて補間するホワイトノイズ制御部とを有する受信ＶｏＩＰ端末装置を備えたことを特徴とする請求項１に記載のＶｏＩＰ送受信システム。
【請求項８】
前記パケット補間部は、前記抜きパケットを次のパケットを受信するまで繰り返し補間することを特徴とする請求項１に記載のＶｏＩＰ送受信システム。
【請求項９】
前記受信ＶｏＩＰ端末装置は、前記抜きパケットにより生じる周期的なノイズを除去するフィルタを有する音声処理部を備えたことを特徴とする請求項１乃至５のいずれか１また
は請求項８に記載のＶｏＩＰ送受信システム。
【請求項１０】
前記受信ＶｏＩＰ端末装置は、前記抜きパケットにより生じる周期的なノイズの周波数を検知するノイズ周波数検知部と、前記周期的なノイズを除去する複数のフィルタとを備え、前記ノイズ周波数検知部は前記検知の結果に基いて前記複数のフィルタを切り替えることを特徴とする請求項１乃至５のいずれか１または請求項８に記載のＶｏＩＰ送受信システム。
【請求項１１】
前記送信ＶｏＩＰ端末装置は、音声を入力して音声信号を出力する音声入力部と、前記音声入力部からの音声信号を処理する音声処理部と、前記音声処理部における処理に基いて無音を検知する無音検知部とを備え、
前記パケット送信制御部は、前記無音の検知の区間である無音区間だけ所定の間隔で無音区間のパケットである無音部パケットを抜き、
前記パケット補間部は、抜いた前記無音部パケットである抜き無音部パケットの前に送出した前記無音部パケットを用いて補間することを特徴とする請求項１に記載のＶｏＩＰ送受信システム。
【請求項１２】
前記パケット補間部に代えて、抜いた前記無音部パケットである抜き無音部パケットの後に送出した前記無音部パケットを用いて補間するパケット補間部を備えたことを特徴とする請求項１１に記載のＶｏＩＰ送受信システム。
【請求項１３】
前記パケット補間部に代えて、抜いた前記無音部パケットである抜き無音部パケットの前後に送出した前記無音部パケットを平均しかつ前記前後に送出した前記無音部パケットと同一サイズの無音部パケットを用いて補間するパケット補間部を備えたことを特徴とする請求項１１に記載のＶｏＩＰ送受信システム。
【請求項１４】
前記パケット補間部に代えて、抜いた前記無音部パケットである抜き無音部パケットの前に送出した前記無音部パケットの半分と、前記抜き無音部パケットの後に送出した前記無音部パケットの半分とを加算しかつ前記前後に送出した前記無音部パケットと同一サイズの無音部パケットを用いて補間するパケット補間部を備えたことを特徴とする請求項１１に記載のＶｏＩＰ送受信システム。
【請求項１５】
前記受信ＶｏＩＰ端末装置に代えて、前記パケットと前記無音部パケットを受信して蓄積するための受信バッファを有し、前記受信バッファは、前記パケットと前記無音部パケットの前記ヘッダ情報を参照するパケット受信制御部と、前記パケット受信制御部に指示されてホワイトノイズを発生させると共に前記ホワイトノイズを用いて補間するホワイトノイズ制御部とを有する受信ＶｏＩＰ端末装置を備えたことを特徴とする請求項１１に記載のＶｏＩＰ送受信システム。
【請求項１６】
前記受信ＶｏＩＰ端末装置に代えて、前記パケットと前記無音部パケットを受信して蓄積するための受信バッファを有し、前記受信バッファは、前記パケットと前記無音部パケットの前記ヘッダ情報を参照するパケット受信制御部と、前記パケット受信制御部に指示されて通話中に周辺雑音を測定しかつデジタル変換して記録するホワイトノイズ測定部と、前記ホワイトノイズ測定部に指示されてホワイトノイズを発生させると共に前記ホワイトノイズを用いて補間するホワイトノイズ制御部とを有する受信ＶｏＩＰ端末装置を備えたことを特徴とする請求項１１に記載のＶｏＩＰ送受信システム。
【請求項１７】
前記パケット補間部に代えて、前記抜きパケットと前記抜かれた前記無音部パケットである抜き無音部パケットを次のパケットを受信するまで繰り返し補間するパケット補間部を備えたことを特徴とする請求項１１に記載のＶｏＩＰ送受信システム。
【請求項１８】
前記受信ＶｏＩＰ端末装置は、前記抜きパケットと前記抜かれた前記無音部パケットである前記抜き無音部パケットにより生じる周期的なノイズを除去するフィルタを有する音声処理部を備えたことを特徴とする請求項１乃至５のいずれか１または請求項１７に記載のＶｏＩＰ送受信システム。
【請求項１９】
前記受信ＶｏＩＰ端末装置は、前記抜きパケットと前記抜かれた前記無音部パケットである前記抜き無音部パケットにより生じる周期的なノイズの周波数を検知するノイズ周波数検知部と、前記周期的なノイズを除去する複数のフィルタとを備え、前記ノイズ周波数検知部は前記検知の結果に基いて前記複数のフィルタを切り替えることを特徴とする請求項１乃至５のいずれか１または請求項１７に記載のＶｏＩＰ送受信システム。
【請求項２０】
前記送信ＶｏＩＰ端末装置は、前記パケットを順次前記ＩＰネットワークに送出するパケット送信部と、前記ＩＰネットワークの混雑状況を示すトラフィックを検知して前記ＩＰネットワーク上の伝送可否を決定するトラフィック検知部とを備え、
前記パケット送信部は、前記トラフィック検知部における決定に基いて前記パケット送信部から送出される前記パケットを抜くパケット送信制御部と、前記トラフィック検知部の指示に基いて音質に影響を与えることなく前記パケットを抜くことができるか否かを前記パケットの前記ヘッダ情報を参照しながら判定するパケット制御部とを有し、
前記パケット送信制御部は、前記パケット制御部が前記パケットを抜くことができると判定した場合、前記パケット制御部の指示に基いて前記パケットを変動する間隔で抜き、
前記パケット補間部は、前記変動する間隔で抜いたパケットである変動抜きパケットの前に送出した前記パケットを用いて補間することを特徴とする請求項１に記載のＶｏＩＰ送受信システム。
【請求項２１】
前記パケット補間部に代えて、前記変動抜きパケットの後に送出した前記パケットを用いて補間するパケット補間部を備えたことを特徴とする請求項２０に記載のＶｏＩＰ送受信システム。
【請求項２２】
前記パケット補間部に代えて、前記変動抜きパケットの前後に送出した前記パケットを平均しかつ前記前後に送出した前記パケットと同一サイズにした前記パケットを用いて補間するパケット補間部を備えたことを特徴とする請求項２０に記載のＶｏＩＰ送受信システム。
【請求項２３】
前記パケット補間部に代えて、前記変動抜きパケットの前に送出した前記パケットの半分と、前記変動抜きパケットの後に送出した前記パケットの半分とを加算しかつ前記変動抜きパケットの前後に送出したパケットと同一サイズにした前記パケットを用いて補間するパケット補間部を備えたことを特徴とする請求項２０に記載のＶｏＩＰ送受信システム。
【請求項２４】
前記受信ＶｏＩＰ端末装置に代えて、前記パケットを受信して蓄積するための受信バッファを有し、前記受信バッファは、前記パケットの前記ヘッダ情報を参照するパケット受信制御部と、前記パケット受信制御部に指示されてホワイトノイズを発生させると共に前記ホワイトノイズを用いて補間するホワイトノイズ制御部とを有する受信ＶｏＩＰ端末装置を備えたことを特徴とする請求項２０に記載のＶｏＩＰ送受信システム。
【請求項２５】
前記受信ＶｏＩＰ端末装置に代えて、前記パケットを受信して蓄積するための受信バッファを有し、前記受信バッファは、前記パケットの前記ヘッダ情報を参照するパケット受信制御部と、前記パケット受信制御部に指示されて通話中に周辺雑音を測定しかつデジタル変換して記録するホワイトノイズ測定部と、前記ホワイトノイズ測定部に指示されてホワイトノイズを発生させると共に前記ホワイトノイズを用いて補間するホワイトノイズ制御
部とを有する受信ＶｏＩＰ端末装置を備えたことを特徴とする請求項２０に記載のＶｏＩＰ送受信システム。
【請求項２６】
前記パケット補間部に代えて、前記変動抜きパケットを次のパケットを受信するまで繰り返し補間するパケット補間部を備えたことを特徴とする請求項２０に記載のＶｏＩＰ送受信システム。
【請求項２７】
前記受信ＶｏＩＰ端末装置は、前記変動抜きパケットにより生じる周期的なノイズを除去するフィルタを有する音声処理部を備えたことを特徴とする請求項２０乃至２３のいずれか１または請求項２６に記載のＶｏＩＰ送受信システム。
【請求項２８】
前記受信ＶｏＩＰ端末装置は、前記変動抜きパケットにより生じる周期的なノイズの周波数を検知するノイズ周波数検知部と、前記周期的なノイズを除去する複数のフィルタとを備え、前記ノイズ周波数検知部は前記検知の結果に基いて前記複数のフィルタを切り替えることを特徴とする請求項２０乃至２３のいずれか１または請求項２６に記載のＶｏＩＰ送受信システム。
【請求項２９】
前記送信ＶｏＩＰ端末装置は、音声を入力して音声信号を出力する音声入力部と、前記音声入力部からの音声信号を処理する音声処理部と、前記音声処理部における処理に基いて無音を検知する無音検知部とを備え、
前記パケット送信制御部に代えて、前記無音検知の区間である無音区間だけ数回に１回の間隔で無音区間のパケットである無音部パケットを抜くパケット送信制御部を備え、
前記受信ＶｏＩＰ端末装置は、前記パケット補間部に代えて、前記変動抜きパケットを次のパケットを受信するまで繰り返し補間するパケット補間部を備えたことを特徴とする請求項２０乃至２８のいずれか１に記載のＶｏＩＰ送受信システム。
【請求項３０】
前記パケット受信制御部は前記受信バッファにおいて受信パケットが溢れそうか否かを判定し、受信パケットが溢れそうと判定したときは受信パケットを所定の間隔で抜き、前記パケット補間部は、前記所定の間隔で抜いた受信パケットである抜き受信パケットを前記抜き受信パケットの前に送出した受信パケットを用いて補間することを特徴とする請求項１乃至１０のいずれか１に記載のＶｏＩＰ送受信システム。
【請求項３１】
前記パケット補間部に代えて、前記所定の間隔で抜いた受信パケットである抜き受信パケットを前記抜き受信パケットの後に送出した受信パケットを用いて補間するパケット補間部を備えたことを特徴とする請求項３０に記載のＶｏＩＰ送受信システム。
【請求項３２】
前記パケット補間部に代えて、前記所定の間隔で抜いた受信パケットである抜き受信パケットを前記抜き受信パケットの前後に送出した受信パケットを平均しかつ前記前後に送出した受信パケットと同一サイズにした受信パケットを用いて補間するパケット補間部を備えたことを特徴とする請求項３０に記載のＶｏＩＰ送受信システム。
【請求項３３】
前記パケット補間部に代えて、前記所定の間隔で抜いた受信パケットである抜き受信パケットを前記抜き受信パケットの前に送出した前記受信パケットの半分と、前記抜きパケットの後に送出した前記受信パケットの半分とを加算しかつ前記抜き受信パケットの前後に送出した受信パケットと同一サイズにした前記受信パケットを用いて補間するパケット補間部を備えたことを特徴とする請求項３０に記載のＶｏＩＰ送受信システム。
【請求項３４】
前記受信ＶｏＩＰ端末装置は、前記パケット受信制御部に指示されてホワイトノイズを発生させるホワイトノイズ制御部を備え、前記ホワイトノイズ制御部は、前記パケット受信制御部において受信パケットが溢れそうと判定したときは発生した前記ホワイトノイズを
用いて補正することを特徴とする請求項３０に記載のＶｏＩＰ送受信システム。
【請求項３５】
前記受信ＶｏＩＰ端末装置は、前記パケット受信制御部において受信パケットが溢れると判定したときは通話中に周辺雑音を測定しかつデジタル変換して記録するホワイトノイズ測定部と、前記ホワイトノイズ測定部に指示されてホワイトノイズを発生させるホワイトノイズ制御部とを備え、前記ホワイトノイズ制御部は、前記パケット受信制御部において受信パケットが溢れそうと判定したときは発生した前記ホワイトノイズを用いて補間することを特徴とする請求項３０に記載のＶｏＩＰ送受信システム。
【請求項３６】
前記パケット補間部に代えて、所定の間隔で抜いた受信パケットである抜き受信パケットを次に受信パケットを受信するまで繰り返し補間するパケット補間部を備えたことを特徴とする請求項３０に記載のＶｏＩＰ送受信システム。
【請求項３７】
前記受信ＶｏＩＰ端末装置は、前記抜き受信パケットにより生じる周期的なノイズを除去するフィルタを有する音声処理部を備えたことを特徴とする請求項３０乃至３３のいずれか１または請求項３６に記載のＶｏＩＰ送受信システム。
【請求項３８】
前記受信ＶｏＩＰ端末装置は、前記抜き受信パケットにより生じる周期的なノイズの周波数を検知するノイズ周波数検知部と、前記周期的なノイズを除去する複数のフィルタとを備え、前記ノイズ周波数検知部は前記検知の結果に基いて前記複数のフィルタを切り替えることを特徴とする請求項３０乃至３６のいずれか１または請求項３６に記載のＶｏＩＰ送受信システム。
【発明の詳細な説明】
【技術分野】
【０００１】
本発明は、音声データとヘッダ情報とを含むパケットをＩＰ（Ｉｎｔｅｒｎｅｔ  Ｐｒｏｔｏｃｏｌ）ネットワークに送出する送信ＶｏＩＰ端末装置と、送信ＶｏＩＰ端末装置からＩＰネットワークを経由してパケットを受信する受信ＶｏＩＰ端末装置とから成るＶｏＩＰ送受信システムに関するものである。
【背景技術】
【０００２】
図１８は、ＩＰネットワークを示す説明図である。図１８に示すように、ネットワーク技術の主体は、ＩＰのパケット方式に革新されつつある。このパケット方式では、ひとまとまりの情報（ビット列）に送信先のアドレスなどを書いたヘッダを付けて送信し、パケット交換機がアドレスを見て適切なルートに送出する。パケットには１つ１つアドレスが書いているため、複数の通信パケットが１本の回線上に混在しても、受信側の交換機で送信先別に振り分けることができ、回線を有効に使うことができる。
【０００３】
また、ＶｏＩＰはＶｏｉｃｅ  ｏｖｅｒ  ＩＰのことで、従来インターネットでは画像データや文書データの送受信が主であったが、近年、ＩＰ電話機のようにＩＰネットワーク上で音声を乗せるようなシステムが出てきた。ＩＰネットワークにおけるトラフィックの増加は遅延やデータの欠落を生じ、音声ノイズの原因となり、音質が劣化する。通常、送信側は作成した音声などのデータをリアルタイムに送信することが多く、対策としては受信側で揺らぎ吸収バッファを設けることが多い。揺らぎの吸収は、音声パケットをバケツのようなバッファに溜め、その底に設けた穴から一定速度で連続的にデータを取り出すことで、再生時の音の途切れを防止することができる。また、音声の再生はリアルタイム性が求められるが、音声データはネットワーク上の可変的な遅延要因により、早く着いたり遅く着いたりたりして（遅延時間の揺らぎを生じて）、そのまま再生すると、ブツブツ音のような音途切れになる。そこで、バッファに音声データを一旦溜めることで、遅延時間の変動があっても、溜まっている音声データが増減するだけで、取り出しは一定時間でできるため、音の途切れは少なくなる。この場合、音声データを溜めるバッファが深いほど大きな遅延変動を吸収できるが、反面バッファに溜めるための遅延が大きくなり、衛星などを用いて海外でリポートしている場合と同様で、音声が遅れて聞こえるようになり、リアルタイム性が損なわれ、使用者に違和感を与える。
【０００４】
従来のＶｏＩＰ送受信システムは、ネットワークに送出されるデータ量を見ながら送信バッファに蓄積されたデータ量をデータ量制御部が次のように管理する方法で音の途切れを防止している（例えば特許文献１、非特許文献１参照）。
【０００５】
（１）送信バッファに想定している量よりも多くの音声データが蓄積された場合には、データ量制御部が量子化部（データを圧縮する）の量子化ステップを操作して、生成されるデータ量を少なくする。
【０００６】
（２）それでも送信バッファが満杯になった場合、音声合成部より通話が停止する旨の報知を行ない、送信バッファが満杯になった時点でデータの生成を停止する。
【０００７】
（３）送信バッファが空に近い場合は、送信バッファに蓄積するデータ量を少なくする必要が無いので、量子化（圧縮）ステップを細かくして、データを送信する。
【特許文献１】特開平１１−２２０４７７号公報
【非特許文献１】松田次博著  「企業内データ・音声統合網の構築方法」日経ＢＰ社  ２０００年
【発明の開示】
【発明が解決しようとする課題】
【０００８】
従来のＶｏＩＰ送受信システムでは、データ量制御部が上述したような動作をするので、次のような問題点を有していた。
【０００９】
（１）の量子化ステップを操作する方法は、例えばデータ内に圧縮率の異なるデータが混在していると、ネットワーク上の伝送スピードが一定にならず、受信ＶｏＩＰ端末装置で復調する際に手間がかかる。
【００１０】
（２）の送信バッファが満杯になった場合、送信バッファからのデータ送信を止める方法は、当然通話ができない。使用者からしてみれば、非常に使い勝手が悪い。
【００１１】
（３）の量子化ステップを細かくし、データ量を増やし、送信バッファからの送信データ量を通常に近づける方法は、（１）と同様にデータ内に圧縮率の異なるデータが混在しているとＩＰネットワーク上の伝送スピードが一定にならず受信ＶｏＩＰ端末装置で復調する際に手間がかかる。また、ＩＰネットワーク上でインターネットのホームページのアクセス数が１次的に増加するなどの遅延要因を考慮してないため、通話中に会話が途切れたりする。
【００１２】
このＶｏＩＰ送受信システムでは、ＩＰネットワークを介した通話において、通話中に会話が途切れたり、欠落したり、急激に著しく歪んだりするのを防止して音声による通話が行えることが要求されている。
【００１３】
本発明は、この要求を満たすため、ＩＰネットワークを介した通話において、通話中に会話が途切れたり、欠落したり、急激に著しく歪んだりするのを防止することができるＶｏＩＰ送受信システムを提供することを目的とする。
【課題を解決するための手段】
【００１４】
上記課題を解決するための本発明のＶｏＩＰ送受信システムは、音声データとヘッダ情報を含むパケットをＩＰネットワークに送出する送信ＶｏＩＰ端末装置と、送信ＶｏＩＰ端末装置からＩＰネットワークを経由してパケットを受信する受信ＶｏＩＰ端末装置とから成るＶｏＩＰ送受信システムであって、送信ＶｏＩＰ端末装置は、パケットを順次ＩＰネットワークに送出するパケット送信部と、ＩＰネットワークの混雑状況を示すトラフィックを検知してＩＰネットワーク上の伝送可否を決定するトラフィック検知部とを備え、パケット送信部は、トラフィック検知部における決定に基いてパケット送信部から送出されるパケットを所定間隔で抜くパケット送信制御部を有し、受信ＶｏＩＰ端末装置は、パケットを受信して蓄積するための受信バッファを有し、受信バッファは、パケットのヘッダ情報を参照するパケット受信制御部と、所定間隔で抜いたパケットである抜きパケットをパケット受信制御部に指示されて補間するパケット補間部とを有する。
【００１５】
これにより、ＩＰネットワークを介した通話において、通話中に会話が途切れたり、欠落したり、急激に著しく歪んだりするのを防止することができるＶｏＩＰ送受信システムが得られる。
【発明の効果】
【００１６】
本発明のＶｏＩＰ送受信システムは、音声データとヘッダ情報を含むパケットをＩＰネットワークに送出する送信ＶｏＩＰ端末装置と、送信ＶｏＩＰ端末装置からＩＰネットワークを経由してパケットを受信する受信ＶｏＩＰ端末装置とから成るＶｏＩＰ送受信システムであって、送信ＶｏＩＰ端末装置は、パケットを順次ＩＰネットワークに送出するパ
ケット送信部と、ＩＰネットワークの混雑状況を示すトラフィックを検知してＩＰネットワーク上の伝送可否を決定するトラフィック検知部とを備え、パケット送信部は、トラフィック検知部における決定に基いてパケット送信部から送出されるパケットを所定間隔で抜くパケット送信制御部を有することにより、トラフィックに基いてパケットを抜く必要があると判定したときはパケットを抜いて送信することができると共に送信するパケットにパケットを特定するヘッダ情報を付加することができるという有利な効果が得られる。また、受信ＶｏＩＰ端末装置は、パケットを受信して蓄積するための受信バッファを有し、受信バッファは、パケットのヘッダ情報を参照するパケット受信制御部と、所定間隔で抜いたパケットである抜きパケットをパケット受信制御部に指示されて補間するパケット補間部とを有することにより、パケットのヘッダ情報に基いて受信したパケットが抜きパケットであるか否かを判定することができ、抜きパケットであると判定したパケットに対してはパケット補間部により補間を行うことができるので、受信ＶｏＩＰ端末装置で受信したパケットに所定の間隔の途切れがある場合であっても、パケットの途切れがないように補間することができ、通話中に会話が途切れたり、欠落したり、急激に著しく歪んだりすることをＩＰネットワーク上のトラフィックを増加することなく防止することができるという有利な効果が得られる。
【００１７】
さらに、パケット補間部は、抜きパケットの前に送出したパケットを用いて補間することにより、受信ＶｏＩＰ端末装置で受信したパケットに所定の間隔の途切れがある場合であっても、パケットの途切れがないように確実に補間することができるという有利な効果が得られる。
【００１８】
さらに、パケット補間部は、抜きパケットの後に送出したパケットを用いて補間することにより、受信ＶｏＩＰ端末装置で受信したパケットに所定の間隔の途切れがある場合であっても、パケットの途切れがないように確実に補間することができるという有利な効果が得られる。
【００１９】
さらに、パケット補間部は、抜きパケットの前後に送出したパケットを平均しかつ前後に送出したパケットと同一サイズにしたパケットを用いて補間することにより、受信ＶｏＩＰ端末装置で受信したパケットに所定の間隔の途切れがある場合であっても、パケットの途切れがないように確実に補間することができると共にパケットが含む音声データのレベルに急激な変化がないように滑らかな補間を行うことができるという有利な効果が得られる。
【００２０】
さらに、パケット補間部は、抜きパケットの前に送出したパケットの半分と、抜きパケットの後に送出したパケットの半分とを加算しかつ抜きパケットの前後に送出したパケットと同一サイズにしたパケットを用いて補間することにより、受信ＶｏＩＰ端末装置で受信したパケットに所定の間隔の途切れがある場合であっても、パケットの途切れがないように確実に補間することができると共にパケットが含む音声データのレベルに急激な変化がないように滑らかな補間を行うことができるという有利な効果が得られる。
【００２１】
さらに、パケットを受信して蓄積するための受信バッファを有し、受信バッファは、パケットのヘッダ情報を参照するパケット受信制御部と、パケット受信制御部に指示されてホワイトノイズを発生させると共にホワイトノイズを用いて補間するホワイトノイズ制御部とを有する受信ＶｏＩＰ端末装置を備えることにより、例えばアナログ電話機で拾うようなホワイトノイズにより耳で聞く音の違和感を無くすことができ、また、受信バッファにおいて受信パケットを一時的に蓄積する必要がないので、必要メモリ量を抑制することができるという有利な効果が得られる。
【００２２】
さらに、パケットを受信して蓄積するための受信バッファを有し、受信バッファは、パ
ケットのヘッダ情報を参照するパケット受信制御部と、パケット受信制御部に指示されて通話中に周辺雑音を測定しかつデジタル変換して記録するホワイトノイズ測定部と、ホワイトノイズ測定部に指示されてホワイトノイズを発生させると共にホワイトノイズを用いて補間するホワイトノイズ制御部とを有することにより、例えばアナログ電話機で拾うようなホワイトノイズにより耳で聞く音の違和感を無くすことができ、また、受信バッファにおいて受信パケットを一時的に蓄積する必要がないので、必要メモリ量を抑制することができるという有利な効果が得られる。
【００２３】
さらに、パケット補間部は、抜きパケットを次のパケットを受信するまで繰り返し補間することにより、受信ＶｏＩＰ端末装置で受信したパケットに所定の間隔の途切れがある場合であっても、完全にパケットの途切れを無くすことができるという有利な効果が得られる。
【００２４】
さらに、受信ＶｏＩＰ端末装置は、抜きパケットにより生じる周期的なノイズを除去するフィルタを有する音声処理部を備えることにより、ブツブツ音に対応する周波数帯域を除去するような周波数帯域除去フィルタあるいは高周波を除去するローパスフィルタを周期的なノイズを除去するフィルタとして使用すれば、ブツブツ音のような耳障りな音を除去することができるという有利な効果が得られる。
【００２５】
さらに、受信ＶｏＩＰ端末装置は、抜きパケットにより生じる周期的なノイズの周波数を検知するノイズ周波数検知部と、周期的なノイズを除去する複数のフィルタとを備え、ノイズ周波数検知部は検知の結果に基いて複数のフィルタを切り替えることにより、周期的なノイズを除去するためのフィルタとして適正なフィルタを複数のフィルタから選択することができるので、ブツブツ音のような耳障りな音を除去する場合に確実かつ適正に除去することができるという有利な効果が得られる。
【００２６】
さらに、送信ＶｏＩＰ端末装置は、音声を入力して音声信号を出力する音声入力部と、音声入力部からの音声信号を処理する音声処理部と、音声処理部における処理に基いて無音を検知する無音検知部とを備え、パケット送信制御部は、無音の検知の区間である無音区間だけ所定の間隔で無音区間のパケットである無音部パケットを抜き、パケット補間部は、抜いた無音部パケットである抜き無音部パケットの前に送出した無音部パケットを用いて補間することにより、パケットのヘッダ情報に基いて受信した無音部パケットが抜き無音部パケットであるか否かを判定することができ、抜き無音部パケットであると判定した無音部パケットに対しては抜き無音部パケットの前に送出した無音部パケットを用いてパケット補間部により補間を行うことができるので、受信ＶｏＩＰ端末装置で受信した無音部パケットに所定の間隔の途切れがある場合であっても、無音部パケットの途切れがないように補間することができ、ＩＰネットワーク上のトラフィックが増加することを防止することができるという有利な効果が得られる。
【００２７】
さらに、送信ＶｏＩＰ端末装置は、パケットを順次ＩＰネットワークに送出するパケット送信部と、ＩＰネットワークの混雑状況を示すトラフィックを検知してＩＰネットワーク上の伝送可否を決定するトラフィック検知部とを備え、パケット送信部は、トラフィック検知部における決定に基いてパケット送信部から送出されるパケットを抜くパケット送信制御部と、トラフィック検知部の指示に基いて音質に影響を与えることなくパケットを抜くことができるか否かをパケットのヘッダ情報を参照しながら判定するパケット制御部とを有し、パケット送信制御部は、パケット制御部がパケットを抜くことができると判定した場合、パケット制御部の指示に基いてパケットを変動する間隔で抜き、パケット補間部は、変動する間隔で抜いたパケットである変動抜きパケットの前に送出したパケットを用いて補間することにより、トラフィック検知部における決定に基いてパケットを抜く必要があると判定したときは無音部パケットやサイズ小のパケットなど音質への影響の少な
いパケットを抜いて送信することができると共に送信するパケットにパケットを特定するヘッダ情報を付加することができ、パケットのヘッダ情報に基いて受信したパケットが変動抜きパケットであるか否かを判定することができ、変動抜きパケットであると判定したパケットに対してはパケット補間部により補間を行うことができるので、受信ＶｏＩＰ端末装置で受信したパケットに変動する間隔の途切れがある場合であっても、変動抜きパケットの前に送出したパケットを用いてパケットの途切れがないように補間することができ、通話中に会話が途切れたり、欠落したり、急激に著しく歪んだりすることをＩＰネットワーク上のトラフィックを増加することなく防止することができるという有利な効果が得られる。
【００２８】
さらに、送信ＶｏＩＰ端末装置は、音声を入力して音声信号を出力する音声入力部と、音声入力部からの音声信号を処理する音声処理部と、音声処理部における処理に基いて無音を検知する無音検知部とを備え、パケット送信制御部に代えて、無音検知の区間である無音区間だけ数回に１回の間隔で無音区間のパケットである無音部パケットを抜くパケット送信制御部を備え、受信ＶｏＩＰ端末装置は、変動抜きパケットを次のパケットを受信するまで繰り返し補間するパケット補間部を備えることにより、無音区間における音質を維持することができると共に、受信ＶｏＩＰ端末装置で受信したパケットに変動する間隔の途切れがある場合であっても、完全にパケットの途切れを無くすことができるという有利な効果が得られる。
【００２９】
さらに、パケット受信制御部は受信バッファにおいて受信パケットが溢れそうか否かを判定し、受信パケットが溢れそうと判定したときは受信パケットを所定の間隔で抜き、パケット補間部は、所定の間隔で抜いた受信パケットである抜き受信パケットを抜き受信パケットの前に送出した受信パケットを用いて補間することにより、受信バッファにおいて受信パケットが溢れそうになったときはパケット受信制御部において所定の間隔で受信パケットを抜き、抜き受信パケットの部分は前に送出した受信パケットを用いて補間することができるので、受信ＶｏＩＰ端末装置において受信パケットが過剰になった場合であっても、パケットの途切れがないように補間することができ、通話中に会話が途切れたり、欠落したり、急激に著しく歪んだりすることをＩＰネットワーク上のトラフィックを増加することなく防止することができるという有利な効果が得られる。
【発明を実施するための最良の形態】
【００３０】
本発明は、通話中に会話が途切れたり、欠落したり、急激に著しく歪んだりすることを防止するという目的を、音声信号などをアナログからデジタルへＡ／Ｄ変換し、リアルタイムにパケット生成する送信ＶｏＩＰ端末装置で、ＩＰネットワークのトラフィックの状況に応じて音質に影響を与えないレベルで所定の間隔でパケットを抜くことにより、ＩＰネットワークのトラフィック増を防止するとともに、パケットを抜いたことによる受信ＶｏＩＰ端末装置での音質劣化を、抜いたパケットを受信ＶｏＩＰ端末装置で補間することで音の途切れの防止も実現した。
【００３１】
上記課題を解決するためになされた第１の発明は、音声データとヘッダ情報を含むパケットをＩＰネットワークに送出する送信ＶｏＩＰ端末装置と、送信ＶｏＩＰ端末装置からＩＰネットワークを経由してパケットを受信する受信ＶｏＩＰ端末装置とから成るＶｏＩＰ送受信システムであって、送信ＶｏＩＰ端末装置は、パケットを順次ＩＰネットワークに送出するパケット送信部と、ＩＰネットワークの混雑状況を示すトラフィックを検知してＩＰネットワーク上の伝送可否を決定するトラフィック検知部とを備え、パケット送信部は、トラフィック検知部における決定に基いてパケット送信部から送出されるパケットを所定間隔で抜くパケット送信制御部を有し、受信ＶｏＩＰ端末装置は、パケットを受信して蓄積するための受信バッファを有し、受信バッファは、パケットのヘッダ情報を参照するパケット受信制御部と、所定間隔で抜いたパケットである抜きパケットをパケット受
信制御部に指示されて補間するパケット補間部とを有することとしたものであり、トラフィックに基いてパケットを抜く必要があると判定したときはパケットを抜いて送信することができると共に送信するパケットにパケットを特定するヘッダ情報を付加することができ、パケットのヘッダ情報に基いて受信したパケットが抜きパケットであるか否かを判定することができ、抜きパケットであると判定したパケットに対してはパケット補間部により補間を行うことができるので、受信ＶｏＩＰ端末装置で受信したパケットに所定の間隔の途切れがある場合であっても、パケットの途切れがないように補間することができ、通話中に会話が途切れたり、欠落したり、急激に著しく歪んだりすることをＩＰネットワーク上のトラフィックを増加することなく防止することができるという作用・効果を有する。
【００３２】
上記課題を解決するためになされた第２の発明は、パケット補間部は、抜きパケットの前に送出したパケットを用いて補間することとしたものであり、受信ＶｏＩＰ端末装置で受信したパケットに所定の間隔の途切れがある場合であっても、パケットの途切れがないように確実に補間することができるという作用・効果を有する。
【００３３】
上記課題を解決するためになされた第３の発明は、パケット補間部は、抜きパケットの後に送出したパケットを用いて補間することとしたものであり、受信ＶｏＩＰ端末装置で受信したパケットに所定の間隔の途切れがある場合であっても、パケットの途切れがないように確実に補間することができるという作用・効果を有する。
【００３４】
上記課題を解決するためになされた第４の発明は、パケット補間部は、抜きパケットの前後に送出したパケットを平均しかつ前後に送出したパケットと同一サイズにしたパケットを用いて補間することとしたものであり、受信ＶｏＩＰ端末装置で受信したパケットに所定の間隔の途切れがある場合であっても、パケットの途切れがないように確実に補間することができると共にパケットが含む音声データのレベルに急激な変化がないように滑らかな補間を行うことができるという作用・効果を有する。
【００３５】
上記課題を解決するためになされた第５の発明は、パケット補間部は、抜きパケットの前に送出したパケットの半分と、抜きパケットの後に送出したパケットの半分とを加算しかつ抜きパケットの前後に送出したパケットと同一サイズにしたパケットを用いて補間することとしたものであり、受信ＶｏＩＰ端末装置で受信したパケットに所定の間隔の途切れがある場合であっても、パケットの途切れがないように確実に補間することができると共にパケットが含む音声データのレベルに急激な変化がないように滑らかな補間を行うことができるという作用・効果を有する。
【００３６】
上記課題を解決するためになされた第６の発明は、パケットを受信して蓄積するための受信バッファを有し、受信バッファは、パケットのヘッダ情報を参照するパケット受信制御部と、パケット受信制御部に指示されてホワイトノイズを発生させると共にホワイトノイズを用いて補間するホワイトノイズ制御部とを有する受信ＶｏＩＰ端末装置を備えることとしたものであり、例えばアナログ電話機で拾うようなホワイトノイズにより耳で聞く音の違和感を無くすことができ、また、受信バッファにおいて受信パケットを一時的に蓄積する必要がないので、必要メモリ量を抑制することができるという作用・効果を有する。
【００３７】
上記課題を解決するためになされた第７の発明は、パケットを受信して蓄積するための受信バッファを有し、受信バッファは、パケットのヘッダ情報を参照するパケット受信制御部と、パケット受信制御部に指示されて通話中に周辺雑音を測定しかつデジタル変換して記録するホワイトノイズ測定部と、ホワイトノイズ測定部に指示されてホワイトノイズを発生させると共にホワイトノイズを用いて補間するホワイトノイズ制御部とを有するこ
ととしたものであり、例えばアナログ電話機で拾うようなホワイトノイズにより耳で聞く音の違和感を無くすことができ、また、受信バッファにおいて受信パケットを一時的に蓄積する必要がないので、必要メモリ量を抑制することができるという作用・効果を有する。
【００３８】
上記課題を解決するためになされた第８の発明は、パケット補間部は、抜きパケットを次のパケットを受信するまで繰り返し補間することとしたものであり、受信ＶｏＩＰ端末装置で受信したパケットに所定の間隔の途切れがある場合であっても、完全にパケットの途切れを無くすことができるという作用・効果を有する。
【００３９】
上記課題を解決するためになされた第９の発明は、受信ＶｏＩＰ端末装置は、抜きパケットにより生じる周期的なノイズを除去するフィルタを有する音声処理部を備えることとしたものであり、ブツブツ音に対応する周波数帯域を除去するような周波数帯域除去フィルタあるいは高周波を除去するローパスフィルタを周期的なノイズを除去するフィルタとして使用すれば、ブツブツ音のような耳障りな音を除去することができるという作用・効果を有する。
【００４０】
上記課題を解決するためになされた第１０の発明は、受信ＶｏＩＰ端末装置は、抜きパケットにより生じる周期的なノイズの周波数を検知するノイズ周波数検知部と、周期的なノイズを除去する複数のフィルタとを備え、ノイズ周波数検知部は検知の結果に基いて複数のフィルタを切り替えることとしたものであり、周期的なノイズを除去するためのフィルタとして適正なフィルタを複数のフィルタから選択することができるので、ブツブツ音のような耳障りな音を除去する場合に確実かつ適正に除去することができるという作用・効果を有する。
【００４１】
上記課題を解決するためになされた第１１の発明は、送信ＶｏＩＰ端末装置は、音声を入力して音声信号を出力する音声入力部と、音声入力部からの音声信号を処理する音声処理部と、音声処理部における処理に基いて無音を検知する無音検知部とを備え、パケット送信制御部は、無音の検知の区間である無音区間だけ所定の間隔で無音区間のパケットである無音部パケットを抜き、パケット補間部は、抜いた無音部パケットである抜き無音部パケットの前に送出した無音部パケットを用いて補間することとしたものであり、パケットのヘッダ情報に基いて受信した無音部パケットが抜き無音部パケットであるか否かを判定することができ、抜き無音部パケットであると判定した無音部パケットに対しては抜き無音部パケットの前に送出した無音部パケットを用いてパケット補間部により補間を行うことができるので、受信ＶｏＩＰ端末装置で受信した無音部パケットに所定の間隔の途切れがある場合であっても、無音部パケットの途切れがないように補間することができ、ＩＰネットワーク上のトラフィックが増加することを防止することができるという作用・効果を有する。
【００４２】
上記課題を解決するためになされた第１２の発明は、抜いた無音部パケットである抜き無音部パケットの後に送出した無音部パケットを用いて補間するパケット補間部を備えることとしたものであり、受信ＶｏＩＰ端末装置で受信した無音部パケットに所定の間隔の途切れがある場合であっても、無音部パケットの途切れがないように確実に補間することができるという作用・効果を有する。
【００４３】
上記課題を解決するためになされた第１３の発明は、抜いた無音部パケットである抜き無音部パケットの前後に送出した無音部パケットを平均しかつ前後に送出した無音部パケットと同一サイズの無音部パケットを用いて補間するパケット補間部を備えることとしたものであり、受信ＶｏＩＰ端末装置で受信した無音部パケットに所定の間隔の途切れがある場合であっても、無音部パケットの途切れがないように確実に補間することができると
共に無音部パケットが含む音声データのレベルに急激な変化がないように滑らかな補間を行うことができるという作用・効果を有する。
【００４４】
上記課題を解決するためになされた第１４の発明は、抜いた無音部パケットである抜き無音部パケットの前に送出した無音部パケットの半分と、抜き無音部パケットの後に送出した無音部パケットの半分とを加算しかつ前後に送出した無音部パケットと同一サイズの無音部パケットを用いて補間するパケット補間部を備えることとしたものであり、受信ＶｏＩＰ端末装置で受信した無音部パケットに所定の間隔の途切れがある場合であっても、無音部パケットの途切れがないように確実に補間することができると共に無音部パケットが含む音声データのレベルに急激な変化がないように滑らかな補間を行うことができるという作用・効果を有する。
【００４５】
上記課題を解決するためになされた第１５の発明は、パケットと無音部パケットを受信して蓄積するための受信バッファを有し、受信バッファは、パケットと無音部パケットのヘッダ情報を参照するパケット受信制御部と、パケット受信制御部に指示されてホワイトノイズを発生させると共にホワイトノイズを用いて補間するホワイトノイズ制御部とを有する受信ＶｏＩＰ端末装置を備えることとしたものであり、例えばアナログ電話機で拾うようなホワイトノイズにより耳で聞く音の違和感を無くすことができ、また、受信したパケットと無音部パケットとを受信バッファにおいて一時的に蓄積する必要がないので、必要メモリ量を抑制することができるという作用・効果を有する。
【００４６】
上記課題を解決するためになされた第１６の発明は、パケットと無音部パケットを受信して蓄積するための受信バッファを有し、受信バッファは、パケットと無音部パケットのヘッダ情報を参照するパケット受信制御部と、パケット受信制御部に指示されて通話中に周辺雑音を測定しかつデジタル変換して記録するホワイトノイズ測定部と、ホワイトノイズ測定部に指示されてホワイトノイズを発生させると共にホワイトノイズを用いて補間するホワイトノイズ制御部とを有する受信ＶｏＩＰ端末装置を備えることとしたものであり、例えばアナログ電話機で拾うようなホワイトノイズにより耳で聞く音の違和感を無くすことができ、また、受信したパケットと無音部パケットとを受信バッファにおいて一時的に蓄積する必要がないので、必要メモリ量を抑制することができるという作用・効果を有する。
【００４７】
上記課題を解決するためになされた第１７の発明は、抜きパケットと抜かれた無音部パケットである抜き無音部パケットを次のパケットを受信するまで繰り返し補間するパケット補間部を備えることとしたものであり、受信ＶｏＩＰ端末装置で受信した無音部パケットに所定の間隔の途切れがある場合であっても、完全に無音部パケットの途切れを無くすことができるという作用・効果を有する。
【００４８】
上記課題を解決するためになされた第１８の発明は、受信ＶｏＩＰ端末装置は、抜きパケットと抜かれた無音部パケットである抜き無音部パケットにより生じる周期的なノイズを除去するフィルタを有する音声処理部を備えることとしたものであり、ブツブツ音に対応する周波数帯域を除去するような周波数帯域除去フィルタあるいは高周波を除去するローパスフィルタを周期的なノイズを除去するフィルタとして使用すれば、ブツブツ音のような耳障りな音を除去することができるという作用・効果を有する。
【００４９】
上記課題を解決するためになされた第１９の発明は、受信ＶｏＩＰ端末装置は、抜きパケットと抜かれた無音部パケットである抜き無音部パケットにより生じる周期的なノイズの周波数を検知するノイズ周波数検知部と、周期的なノイズを除去する複数のフィルタとを備え、ノイズ周波数検知部は検知の結果に基いて複数のフィルタを切り替えることとしたものであり、周期的なノイズを除去するためのフィルタとして適正なフィルタを複数の
フィルタから選択することができるので、ブツブツ音のような耳障りな音を除去する場合に確実かつ適正に除去することができるという作用・効果を有する。
【００５０】
上記課題を解決するためになされた第２０の発明は、送信ＶｏＩＰ端末装置は、パケットを順次ＩＰネットワークに送出するパケット送信部と、ＩＰネットワークの混雑状況を示すトラフィックを検知してＩＰネットワーク上の伝送可否を決定するトラフィック検知部とを備え、パケット送信部は、トラフィック検知部における決定に基いてパケット送信部から送出されるパケットを抜くパケット送信制御部と、トラフィック検知部の指示に基いて音質に影響を与えることなくパケットを抜くことができるか否かをパケットのヘッダ情報を参照しながら判定するパケット制御部とを有し、パケット送信制御部は、パケット制御部がパケットを抜くことができると判定した場合、パケット制御部の指示に基いてパケットを変動する間隔で抜き、パケット補間部は、変動する間隔で抜いたパケットである変動抜きパケットの前に送出したパケットを用いて補間することとしたものであり、トラフィック検知部における決定に基いてパケットを抜く必要があると判定したときは無音部パケットやサイズ小のパケットなど音質への影響の少ないパケットを抜いて送信することができると共に送信するパケットにパケットを特定するヘッダ情報を付加することができ、パケットのヘッダ情報に基いて受信したパケットが変動抜きパケットであるか否かを判定することができ、変動抜きパケットであると判定したパケットに対してはパケット補間部により補間を行うことができるので、受信ＶｏＩＰ端末装置で受信したパケットに変動する間隔の途切れがある場合であっても、変動抜きパケットの前に送出したパケットを用いてパケットの途切れがないように補間することができ、通話中に会話が途切れたり、欠落したり、急激に著しく歪んだりすることをＩＰネットワーク上のトラフィックを増加することなく防止することができるという作用・効果を有する。
【００５１】
上記課題を解決するためになされた第２１の発明は、変動抜きパケットの後に送出したパケットを用いて補間するパケット補間部を備えることとしたものであり、受信ＶｏＩＰ端末装置で受信したパケットに変動する間隔の途切れがある場合であっても、変動抜きパケットの後に送出したパケットを用いてパケットの途切れがないように補間することができ、通話中に会話が途切れたり、欠落したり、急激に著しく歪んだりすることをＩＰネットワーク上のトラフィックを増加することなく防止することができるという作用・効果を有する。
【００５２】
上記課題を解決するためになされた第２２の発明は、変動抜きパケットの前後に送出したパケットを平均しかつ前後に送出したパケットと同一サイズにしたパケットを用いて補間するパケット補間部を備えることとしたものであり、受信ＶｏＩＰ端末装置で受信したパケットに所定の間隔の途切れがある場合であっても、パケットの途切れがないように確実に補間することができると共にパケットが含む音声データのレベルに急激な変化がないように滑らかな補間を行うことができるという作用・効果を有する。
【００５３】
上記課題を解決するためになされた第２３の発明は、変動抜きパケットの前に送出したパケットの半分と、変動抜きパケットの後に送出したパケットの半分とを加算しかつ変動抜きパケットの前後に送出したパケットと同一サイズにしたパケットを用いて補間するパケット補間部を備えることとしたものであり、受信ＶｏＩＰ端末装置で受信したパケットに変動する間隔の途切れがある場合であっても、変動抜きパケットの後に送出したパケットを用いてパケットの途切れがないように補間することができ、通話中に会話が途切れたり、欠落したり、急激に著しく歪んだりすることをＩＰネットワーク上のトラフィックを増加することなく防止することができるという作用・効果を有する。
【００５４】
上記課題を解決するためになされた第２４の発明は、パケットを受信して蓄積するための受信バッファを有し、受信バッファは、パケットのヘッダ情報を参照するパケット受信
制御部と、パケット受信制御部に指示されてホワイトノイズを発生させると共にホワイトノイズを用いて補間するホワイトノイズ制御部とを有する受信ＶｏＩＰ端末装置を備えることとしたものであり、例えばアナログ電話機で拾うようなホワイトノイズにより耳で聞く音の違和感を無くすことができ、また、受信バッファにおいて受信パケットを一時的に蓄積する必要がないので、必要メモリ量を抑制することができるという作用・効果を有する。
【００５５】
上記課題を解決するためになされた第２５の発明は、パケットを受信して蓄積するための受信バッファを有し、受信バッファは、パケットのヘッダ情報を参照するパケット受信制御部と、パケット受信制御部に指示されて通話中に周辺雑音を測定しかつデジタル変換して記録するホワイトノイズ測定部と、ホワイトノイズ測定部に指示されてホワイトノイズを発生させると共にホワイトノイズを用いて補間するホワイトノイズ制御部とを有する受信ＶｏＩＰ端末装置を備えることとしたものであり、例えばアナログ電話機で拾うようなホワイトノイズにより耳で聞く音の違和感を無くすことができ、また、受信バッファにおいて受信パケットを一時的に蓄積する必要がないので、必要メモリ量を抑制することができるという作用・効果を有する。
【００５６】
上記課題を解決するためになされた第２６の発明は、変動抜きパケットを次のパケットを受信するまで繰り返し補間するパケット補間部を備えることとしたものであり、受信ＶｏＩＰ端末装置で受信したパケットに変動する間隔の途切れがある場合であっても、完全にパケットの途切れを無くすことができるという作用・効果を有する。
【００５７】
上記課題を解決するためになされた第２７の発明は、受信ＶｏＩＰ端末装置は、変動抜きパケットにより生じる周期的なノイズを除去するフィルタを有する音声処理部を備えることとしたものであり、ブツブツ音に対応する周波数帯域を除去するような周波数帯域除去フィルタあるいは高周波を除去するローパスフィルタを周期的なノイズを除去するフィルタとして使用すれば、ブツブツ音のような耳障りな音を除去することができるという作用・効果を有する。
【００５８】
上記課題を解決するためになされた第２８の発明は、受信ＶｏＩＰ端末装置は、変動抜きパケットにより生じる周期的なノイズの周波数を検知するノイズ周波数検知部と、周期的なノイズを除去する複数のフィルタとを備え、ノイズ周波数検知部は検知の結果に基いて複数のフィルタを切り替えることとしたものであり、周期的なノイズを除去するためのフィルタとして適正なフィルタを複数のフィルタから選択することができるので、ブツブツ音のような耳障りな音を除去する場合に確実かつ適正に除去することができるという作用・効果を有する。
【００５９】
上記課題を解決するためになされた第２９の発明は、送信ＶｏＩＰ端末装置は、音声を入力して音声信号を出力する音声入力部と、音声入力部からの音声信号を処理する音声処理部と、音声処理部における処理に基いて無音を検知する無音検知部とを備え、パケット送信制御部に代えて、無音検知の区間である無音区間だけ数回に１回の間隔で無音区間のパケットである無音部パケットを抜くパケット送信制御部を備え、受信ＶｏＩＰ端末装置は、変動抜きパケットを次のパケットを受信するまで繰り返し補間するパケット補間部を備えることとしたものであり、無音区間における音質を維持することができると共に、受信ＶｏＩＰ端末装置で受信したパケットに変動する間隔の途切れがある場合であっても、完全にパケットの途切れを無くすことができるという作用・効果を有する。
【００６０】
上記課題を解決するためになされた第３０の発明は、パケット受信制御部は受信バッファにおいて受信パケットが溢れそうか否かを判定し、受信パケットが溢れそうと判定したときは受信パケットを所定の間隔で抜き、パケット補間部は、所定の間隔で抜いた受信パ
ケットである抜き受信パケットを抜き受信パケットの前に送出した受信パケットを用いて補間することとしたものであり、受信バッファにおいて受信パケットが溢れそうになったときはパケット受信制御部において所定の間隔で受信パケットを抜き、抜き受信パケットの部分は前に送出した受信パケットを用いて補間することができるので、受信ＶｏＩＰ端末装置において受信パケットが過剰になった場合であっても、パケットの途切れがないように補間することができ、通話中に会話が途切れたり、欠落したり、急激に著しく歪んだりすることをＩＰネットワーク上のトラフィックを増加することなく防止することができるという作用・効果を有する。
【００６１】
上記課題を解決するためになされた第３１の発明は、所定の間隔で抜いた受信パケットである抜き受信パケットを抜き受信パケットの後に送出した受信パケットを用いて補間するパケット補間部を備えることとしたものであり、抜き受信パケットの部分は後に送出した受信パケットを用いて補間することができるので、受信ＶｏＩＰ端末装置において受信パケットが過剰になった場合であっても、パケットの途切れがないように補間することができ、通話中に会話が途切れたり、欠落したり、急激に著しく歪んだりすることをＩＰネットワーク上のトラフィックを増加することなく防止することができるという作用・効果を有する。
【００６２】
上記課題を解決するためになされた第３２の発明は、所定の間隔で抜いた受信パケットである抜き受信パケットを抜き受信パケットの前後に送出した受信パケットを平均しかつ前後に送出した受信パケットと同一サイズにした受信パケットを用いて補間するパケット補間部を備えることとしたものであり、受信ＶｏＩＰ端末装置が過剰にパケットを受信した場合であっても、パケットの途切れがないように確実に補間することができると共にパケットが含む音声データのレベルに急激な変化がないように滑らかな補間を行うことができるという作用・効果を有する。
【００６３】
上記課題を解決するためになされた第３３の発明は、所定の間隔で抜いた受信パケットである抜き受信パケットを抜き受信パケットの前に送出した受信パケットの半分と、抜きパケットの後に送出した受信パケットの半分とを加算しかつ抜き受信パケットの前後に送出した受信パケットと同一サイズにした受信パケットを用いて補間するパケット補間部を備えることとしたものであり、受信ＶｏＩＰ端末装置が過剰にパケットを受信した場合であっても、パケットの途切れがないように確実に補間することができると共にパケットが含む音声データのレベルに急激な変化がないように滑らかな補間を行うことができるという作用・効果を有する。
【００６４】
上記課題を解決するためになされた第３４の発明は、受信ＶｏＩＰ端末装置は、パケット受信制御部に指示されてホワイトノイズを発生させるホワイトノイズ制御部を備え、ホワイトノイズ制御部は、パケット受信制御部において受信パケットが溢れそうと判定したときは発生したホワイトノイズを用いて補正することとしたものであり、例えばアナログ電話機で拾うようなホワイトノイズにより耳で聞く音の違和感を無くすことができ、また、受信バッファにおいて受信パケットを一時的に蓄積する必要がないので、必要メモリ量を抑制することができるという作用・効果を有する。
【００６５】
上記課題を解決するためになされた第３５の発明は、受信ＶｏＩＰ端末装置は、パケット受信制御部において受信パケットが溢れると判定したときは通話中に周辺雑音を測定しかつデジタル変換して記録するホワイトノイズ測定部と、ホワイトノイズ測定部に指示されてホワイトノイズを発生させるホワイトノイズ制御部とを備え、ホワイトノイズ制御部は、パケット受信制御部において受信パケットが溢れそうと判定したときは発生したホワイトノイズを用いて補間することとしたものであり、例えばアナログ電話機で拾うようなホワイトノイズにより耳で聞く音の違和感を無くすことができ、また、受信バッファにお
いて受信パケットを一時的に蓄積する必要がないので、必要メモリ量を抑制することができるという作用・効果を有する。
【００６６】
上記課題を解決するためになされた第３６の発明は、所定の間隔で抜いた受信パケットである抜き受信パケットを次に受信パケットを受信するまで繰り返し補間するパケット補間部を備えることとしたものであり、受信ＶｏＩＰ端末装置で受信したパケットに所定の間隔の途切れがある場合であっても、完全にパケットの途切れを無くすことができるという作用・効果を有する。
【００６７】
上記課題を解決するためになされた第３７の発明は、受信ＶｏＩＰ端末装置は、抜き受信パケットにより生じる周期的なノイズを除去するフィルタを有する音声処理部を備えることとしたものであり、ブツブツ音に対応する周波数帯域を除去するような周波数帯域除去フィルタあるいは高周波を除去するローパスフィルタを周期的なノイズを除去するフィルタとして使用すれば、ブツブツ音のような耳障りな音を除去することができるという作用・効果を有する。
【００６８】
上記課題を解決するためになされた第３８の発明は、受信ＶｏＩＰ端末装置は、抜き受信パケットにより生じる周期的なノイズの周波数を検知するノイズ周波数検知部と、周期的なノイズを除去する複数のフィルタとを備え、ノイズ周波数検知部は検知の結果に基いて複数のフィルタを切り替えることとしたものであり、周期的なノイズを除去するためのフィルタとして適正なフィルタを複数のフィルタから選択することができるので、ブツブツ音のような耳障りな音を除去する場合に確実かつ適正に除去することができるという作用・効果を有する。
【００６９】
（実施の形態１）
図１は、本発明の実施の形態１による送信ＶｏＩＰ端末装置（送信側音声伝送装置）と受信ＶｏＩＰ端末装置（受信側音声伝送装置）とを有するＶｏＩＰ送受信システムを示すブロック図である。
【００７０】
図１において、１は例えばパケット化された音声データおよび画像データを送受信するＩＰ電話機のような音声伝送装置の送信部分としての送信側音声伝送装置（送信ＶｏＩＰ端末装置）、２はアナログの音声信号についてデータ量を少なくするために例えば規定時間内のサンプル数を決めてサンプリングしデジタル変換してデータ化し、さらに量子化されたデータを必要分集合化し、送信先のアドレス（宛先情報）や作成順番等のシーケンス番号などの必要情報を記載したヘッダを付与したパケット（ヘッダ＋データ群）、３は送信側音声伝送装置１内にあり、音声についてはリアルタイム性が求められるため、リアルタイムにパケット２を送出するパケット送信部である。パケット送信部３は送信側音声伝送装置１内に複数あってもよいが、説明では１個とする。４は例えばＰＢＸ（構内交換機）のような送信側音声伝送装置（図示せず）と後述する受信側音声伝送装置５とをつなぎパケット２を伝送するＩＰネットワークである。ＩＰネットワーク４は、物理的なケーブルや途中に存在するルータ、ハブ（図示せず）などの通信機器などを含んでいる。６は送信側音声伝送装置１および受信側音声伝送装置５内にあり、ＩＰネットワーク４より送出されるパケット２の窓口となるＩＰネットワークＩ／Ｆ（ＩＰネットワークインタフェース）、７はＩＰネットワーク４の回線混み具合を知るためにダミーパケット８をＩＰネットワーク４上に送受信するトラフィック検知部である。ダミーパケット８は、トラフィック検知部７にてＩＰネットワーク４上に送出した後に戻るようなヘッダ情報を有し、ＩＰネットワーク４上で通るかどうか確認するためパケット２と同じかやや大きめのサイズとして生成される。動作としては、トラフィック検知部７にてＩＰネットワークＩ／Ｆ６を介してＩＰネットワーク４上に送出された後、ＩＰネットワークＩ／Ｆ６を介してトラフィック検知部７に戻ることになる。トラフィック検知部７はその戻り時間を測定し、ＩＰ
ネットワーク４の混み具合を判定することになる。９はパケットを所定の間隔または変動する間隔で抜くパケット送信制御部であり、ＩＰネットワーク４において混んでいるとトラフィック検知部７が判定した場合、トラフィック検知部７はパケット送信制御部９に指示し、パケット２を抜くことになる。その作業としては、パケット送信を中止し、パケットを廃棄することになる。
【００７１】
また、５は受信側音声伝送装置（受信ＶｏＩＰ端末装置）であり、受信側音声伝送装置５は、送信側音声伝送装置１より送出されたパケット２を順次受信して蓄積する受信バッファ１０と、受信したパケット２のヘッダを参照し、シーケンス番号などによりパケット２が受信されたかどうか確認するパケット送信制御部１１と、送信側音声伝送装置１で抜いたパケット１０２を補間するパケット補間部１２とを有し、補間されたパケットを１１２とする。
【００７２】
図２は、図１に示すところのパケットおよびダミーパケットの流れを示す説明図であり、図２（ａ）はＩＰネットワーク４が混んでいない場合を示す説明図、図２（ｂ）はＩＰネットワーク４が混んでいる場合を示す説明図である。図２（ａ）ではパケット２が円滑に流れ、ダミーパケットもＩＰネットワーク４から戻り、図２（ｂ）ではパケット１０２が抜かれ、ダミーパケットも遅延したり、未帰還となる。
【００７３】
以上のように本実施の形態によれば、送信ＶｏＩＰ端末装置１は、パケットを順次ＩＰネットワーク４に送出するパケット送信部３と、ＩＰネットワーク４の混雑状況を示すトラフィックを検知してＩＰネットワーク４上の伝送可否を決定するトラフィック検知部７とを備え、パケット送信部３は、トラフィック検知部７における決定に基いてパケット送信部３から送出されるパケットを所定間隔で抜くパケット送信制御部９を有し、受信ＶｏＩＰ端末装置５は、パケットを受信して蓄積するための受信バッファ１０を有し、受信バッファ１０は、パケットのヘッダ情報を参照するパケット送信制御部１１と、所定間隔で抜いたパケットである抜きパケットをパケット送信制御部１１に指示されて補間するパケット補間部１２とを有することにより、トラフィックに基いてパケットを抜く必要があると判定したときはパケットを抜いて送信することができると共に送信するパケットにパケットを特定するヘッダ情報を付加することができ、パケットのヘッダ情報に基いて受信したパケットが抜きパケットであるか否かを判定することができ、抜きパケットであると判定したパケットに対してはパケット補間部１２により補間を行うことができるので、受信ＶｏＩＰ端末装置５で受信したパケットに所定の間隔の途切れがある場合であっても、パケットの途切れがないように補間することができ、通話中に会話が途切れたり、欠落したり、急激に著しく歪んだりすることをＩＰネットワーク４上のトラフィックを増加することなく防止することができる。
【００７４】
（実施の形態２）
以下に述べる実施の形態２から９までは、ＩＰネットワーク４のトラフィックが増加しないように、まず送信側音声伝送装置１で所定の間隔でパケットを抜き、受信側音声伝送装置５での再生時に音質劣化しないようパケットの補間を行なうものである。
【００７５】
図３は、本発明の実施の形態２によるＶｏＩＰ送受信システムを構成する受信側音声伝送装置を示すブロック図であり、図１に示すところの送信側でパケット１０２を抜いた分を受信側でパケット補間する場合を示すブロック図である。
【００７６】
図３において、受信側音声伝送装置５、ＩＰネットワークインタフェース６、受信バッファ１０、パケット送信制御部１１、パケット補間部１２は図１と同様のものなので、同一符号を付し、説明は省略する。２２２は送信側で所定の間隔で抜いたパケット１０２（抜きパケット１０２）前のパケットである。
【００７７】
このように構成された受信側音声伝送装置５（受信ＶｏＩＰ端末装置）について、その動作を説明する。
【００７８】
ＩＰネットワークＩ／Ｆ６を経由してパケット２が受信バッファ１０に到着する。その際に、パケット送信制御部１１にて、受信したパケット２のシーケンス番号などを記載したヘッダ情報を参照し、送信側で所定の間隔で抜いたパケット１０２を検知する。その後、パケット送信制御部１１の指令に基いてパケット１０２を補間するために、一時的に記録・保管する機能を有するパケット補間部１２にて、送信側で抜いたパケット１０２の直前に送信側音声伝送装置１より送出されたパケット２２２（前のパケット）を送出して補間する。これにより、受信側音声伝送装置５での音途切れを防止できる。
【００７９】
以上のように本実施の形態によれば、パケット補間部１２は、抜きパケットの前に送出したパケットを用いて補間することにより、受信ＶｏＩＰ端末装置５で受信したパケットに所定の間隔の途切れがある場合であっても、パケットの途切れがないように確実に補間することができる。
【００８０】
（実施の形態３）
図４は、本発明の実施の形態３によるＶｏＩＰ送受信システムを構成する受信側音声伝送装置を示すブロック図であり、図１に示すところの送信側でパケット１０２を抜いた分を受信側でパケット補間する場合を示す。
【００８１】
図４において、受信側音声伝送装置５、ＩＰネットワークインタフェース６、受信バッファ１０、パケット送信制御部１１、パケット補間部１２は図１と同様のものなので、同一符号を付し、説明は省略する。２３２は送信側で所定の間隔で抜いたパケット１０２（抜きパケット１０２）後のパケットである。
【００８２】
このように構成された受信側音声伝送装置５について、その動作を説明する。
【００８３】
ＩＰネットワークＩ／Ｆ６を経由してパケット２が受信バッファ１０に到着する。その際に、パケット送信制御部１１にて、受信したパケット２のシーケンス番号などを記載したヘッダ情報を参照し、送信側で所定の間隔で抜いたパケット１０２を検知する。その後、パケット送信制御部１１の指令に基いてパケット１０２を補間するために、一時的に記録・保管する機能を有するパケット補間部１２にて、送信側で抜いたパケット１０２の直後に送信側音声伝送装置１より送出された後のパケット２３２を送出して補間する。これにより、受信側での音途切れを防止できる。
【００８４】
以上のように本実施の形態によれば、パケット補間部１２は、抜きパケットの後に送出したパケットを用いて補間することにより、受信ＶｏＩＰ端末装置５で受信したパケットに所定の間隔の途切れがある場合であっても、パケットの途切れがないように確実に補間することができる。
【００８５】
（実施の形態４）
図５は、本発明の実施の形態４によるＶｏＩＰ送受信システムを構成する受信側音声伝送装置を示すブロック図であり、図１に示すところの送信側でパケット１０２を抜いた分を受信側で複数のパケットを平均してパケットを補間する場合を示す。
【００８６】
図５において、受信側音声伝送装置５、ＩＰネットワークインタフェース６、受信バッファ１０、パケット送信制御部１１、パケット補間部１２は図１と同様のものなので、同一符号を付し、説明は省略する。２４２は平均パケットである。
【００８７】
このように構成された受信側音声伝送装置５について、その動作を説明する。
【００８８】
ＩＰネットワークＩ／Ｆ６を経由してパケット２が受信バッファ１０に到着する。その際に、パケット送信制御部１１にて、受信したパケット２のシーケンス番号などを記載したヘッダ情報を参照し、送信側で抜いたパケット１０２を検知する。その後、パケット送信制御部１１の指令に基いてパケット１０２を補間するために、一時的に記録・保管する機能を有するパケット補間部１２にて、送信側で所定の間隔で抜いたパケット１０２の直前・直後に送信側音声伝送装置１より送出された前のパケット２２２と後のパケット２３２を任意に選択して平均した平均パケット２４２を送出する。ここでは、パケット１０２の直前・直後から前のパケット２２２と後のパケット２３２の計２つを平均したが、それぞれ複数を選択し、パケット１０２と同サイズ容量（ｋバイトなど）になるよう平均すれば問題ない。これにより、受信側での音途切れを防止できる。
【００８９】
以上のように本実施の形態によれば、パケット補間部１２は、抜きパケットの前後に送出したパケットを平均しかつ前後に送出したパケットと同一サイズにしたパケットを用いて補間することにより、受信ＶｏＩＰ端末装置５で受信したパケットに所定の間隔の途切れがある場合であっても、パケットの途切れがないように確実に補間することができると共にパケットが含む音声データのレベルに急激な変化がないように滑らかな補間を行うことができる。
【００９０】
（実施の形態５）
図６は、本発明の実施の形態５によるＶｏＩＰ送受信システムを構成する受信側音声伝送装置を示すブロック図であり、図１に示すところの送信側でパケット１０２を抜いた分を受信側でパケット１０２の前後のパケットの半分ずつのパケットを組み合わせてパケット補間する場合を示す。
【００９１】
図６において、受信側音声伝送装置５、ＩＰネットワークＩ／Ｆ６、受信バッファ１０、パケット送信制御部１１、パケット補間部１２は図１と同様のものなので、同一符号を付し、説明は省略する。３２２は抜きパケット１０２の前のパケットの半分のパケット、３３２は抜きパケット１０２の後のパケットの半分のパケットである。
【００９２】
このように構成された受信側音声伝送装置５について、その動作を説明する。
【００９３】
ＩＰネットワークＩ／Ｆ６を経由してパケット２が受信バッファ１０に到着する。その際に、パケット送信制御部１１にて、受信したパケット２のシーケンス番号などを記載したヘッダ情報を参照し、送信側で抜いたパケット１０２を検知する。パケット送信制御部１１の指令に基いてパケット１０２を補間するために、一時的に記録する機能を有するパケット補間部１２にて、送信側で所定の間隔で抜いたパケット１０２の直前・直後に送信側音声伝送装置１より送出された前のパケット２２２と後のパケット２３２を任意に選択し、選択したパケットをそれぞれ半分にした、前の１／２パケット３２２と後の１／２パケット３３２を組み合わせた平均パケット３４２を送出する。パケット１０２の直前・直後から前のパケット２２２と後のパケット２３２のそれぞれの１／２ずつ組み合わせたが、１／２ずつに限定せず、パケット１０２と同サイズ容量（ｋバイトなど）になるよう配分すれば問題ない。これにより、受信側での音途切れを防止できる。
【００９４】
以上のように本実施の形態によれば、パケット補間部１２は、抜きパケットの前に送出したパケットの半分と、抜きパケットの後に送出したパケットの半分とを加算しかつ抜きパケットの前後に送出したパケットと同一サイズにしたパケットを用いて補間することにより、受信ＶｏＩＰ端末装置５で受信したパケットに所定の間隔の途切れがある場合であ
っても、パケットの途切れがないように確実に補間することができると共にパケットが含む音声データのレベルに急激な変化がないように滑らかな補間を行うことができる。
【００９５】
（実施の形態６）
図７は、本発明の実施の形態６によるＶｏＩＰ送受信システムを構成する受信側音声伝送装置を示すブロック図であり、図１に示すところの送信側でパケット１０２を抜いた分を受信側でホワイトノイズを用いてパケット補間する場合を示す。
【００９６】
図７において、受信側音声伝送装置５、ＩＰネットワークＩ／Ｆ６、受信バッファ１０、パケット送信制御部１１、パケット補間部１２は図１と同様のものなので、同一符号を付し、説明は省略する。１３はホワイトノイズ１４を発生するホワイトノイズ制御部である。
【００９７】
このように構成された受信側音声伝送装置５について、その動作を説明する。
【００９８】
ＩＰネットワークＩ／Ｆ６を経由してパケット２が受信バッファ１０に到着する。その際に、パケット送信制御部１１にて、受信したパケット２のシーケンス番号などを記載したヘッダ情報を参照し、送信側で所定の間隔で抜いたパケット１０２を検知する。パケット送信制御部１１の指令に基いてパケット１０２を補間するために、ホワイトノイズ制御部１３にホワイトノイズ１４を発生させるよう指示する。さらに、ホワイトノイズ１４をパケット１０２の個所に送出する。通常のアナログ電話機を用いた場合でも受話側ではホワイトノイズ１４のような音を拾う。意図的にこのような通常耳にするような音を用いることで違和感を少なくし、受信側での音の途切れを防止できる。
【００９９】
以上のように本実施の形態によれば、パケットを受信して蓄積するための受信バッファ１０を有し、受信バッファ１０は、パケットのヘッダ情報を参照するパケット送信制御部１１と、パケット送信制御部１１に指示されてホワイトノイズ１４を発生させると共にホワイトノイズ１４を用いて補間するホワイトノイズ制御部１３とを有する受信ＶｏＩＰ端末装置５を備えたことにより、例えばアナログ電話機が拾うようなホワイトノイズ１４により耳で聞く音の違和感を無くすことができ、受信バッファにおいて受信パケットを一時的に蓄積する必要がないので、必要メモリ量を抑制することができる。
【０１００】
（実施の形態７）
図８は、本発明の実施の形態７によるＶｏＩＰ送受信システムを構成する受信側音声伝送装置を示すブロック図であり、図１に示すところの送信側でパケット１０２を抜いた分を受信側でホワイトノイズを用いてパケット補間する場合を示す。
【０１０１】
図８において、受信側音声伝送装置５、ＩＰネットワークＩ／Ｆ６、受信バッファ１０、パケット送信制御部１１、パケット補間部１２、ホワイトノイズ制御部１３は図７と同様のものなので、同一符号を付し、説明は省略する。１５はホワイトノイズ４１４を測定するホワイトノイズ測定部、５１４はホワイトノイズ制御部１３で発生したホワイトノイズである。
【０１０２】
このように構成された受信側音声伝送装置５について、その動作を説明する。
【０１０３】
ＩＰネットワークＩ／Ｆ６を経由してパケット２が受信バッファ１０に到着する。その際に、パケット送信制御部１１にて、受信したパケット２のシーケンス番号などを記載したヘッダ情報を参照し、送信側で所定の間隔で抜いたパケット１０２を検知する。パケット送信制御部１１の指令に基いてパケット１０２を補間するために、受信側音声伝送装置５に設け主として通話中の周辺雑音（ホワイトノイズ４１４）を測定するマイクなどのホ
ワイトノイズ測定部１５でホワイトノイズ４１４を測定し、ホワイトノイズ４１４のアナログ波形をサンプリングし、かつデジタル変換した後、ホワイトノイズ制御部１３にホワイトノイズ５１４を発生させるよう指示する。さらに、ホワイトノイズ５１４をパケット１０２の個所に送出する。通常のアナログ電話機を用いた場合でも受話側ではホワイトノイズ４１４のような音を拾う。意図的にこのような通常耳にするような音を用いることで違和感を少なくし、受信側での音の途切れを防止できる。
【０１０４】
以上のように本実施の形態によれば、パケットを受信して蓄積するための受信バッファ１０を有し、受信バッファ１０は、パケットのヘッダ情報を参照するパケット送信制御部１１と、パケット送信制御部１１に指示されて通話中に周辺雑音を測定しかつデジタル変換して記録するホワイトノイズ測定部１５と、ホワイトノイズ測定部１５に指示されてホワイトノイズ５１４を発生させると共にホワイトノイズ５１４を用いて補間するホワイトノイズ制御部１３とを有することにより、例えばアナログ電話機が拾うようなホワイトノイズ５１４により耳で聞く音の違和感を無くすことができ、また、受信バッファ１０において受信パケットを一時的に蓄積する必要がないので、必要メモリ量を抑制することができる。
【０１０５】
（実施の形態８）
図９は、本発明の実施の形態８によるＶｏＩＰ送受信システムを構成する受信側音声伝送装置を示すブロック図であり、図１に示すところの送信側でパケット１０２を抜いた分を受信側でパケット補間する際に、補間したパケットを繰り返し使う場合を示す。
【０１０６】
図９において、受信側音声伝送装置５、ＩＰネットワークＩ／Ｆ６、受信バッファ１０、パケット送信制御部１１、パケット補間部１２は図１と同様のものなので、同一符号を付し、説明は省略する。３０２は任意のパケットである。
【０１０７】
このように構成された受信側音声伝送装置５について、その動作を説明する。
【０１０８】
ＩＰネットワーク４が混んでいる場合、送信側音声伝送装置１からのパケット２が受信側音声伝送装置５に到着しないこともある。パケット送信制御部１１で、次のパケット２が来るまで、パケット補間部１２に指示して、実施の形態１〜７に該当する任意のパケット３０２を繰り返し送出させて補間する。これにより、音の途切れを防止できる。
【０１０９】
以上のように本実施の形態によれば、パケット補間部１２は、抜きパケットを次のパケットを受信するまで（実施の形態１〜７に該当する補間パケットを用いて）繰り返し補間することにより、受信ＶｏＩＰ端末装置５で受信したパケットに所定の間隔の途切れがある場合であっても、完全にパケットの途切れを無くすことができる。
【０１１０】
（実施の形態９）
図１０は、本発明の実施の形態９によるＶｏＩＰ送受信システムを構成する受信側音声伝送装置を示すブロック図であり、図１に示すところの送信側でパケット１０２を抜いた分を受信側でパケット補間した際に生じる周期的なノイズをカットする場合を示す。
【０１１１】
図１０において、５は受信側音声伝送装置、１６は周期的なノイズをカットする音声処理部、１９はＤ／Ａ変換部である。
【０１１２】
このように構成された受信側音声伝送装置５について、その動作を図１１を用いて説明する。図１１はカットされる周波数帯域を示すグラフである。なお、受信側でパケット補間する方法は実施の形態１〜７までと同様である。
【０１１３】
パケット１０２を補間した際に不完全な状態であれば、受信側でブツブツ音などの異音（異常音）が聞こえることがある。異音を防止する方法として、周期的に発生するものであれば、補間されたパケット１０２をＤ／Ａ変換部１９でデジタルからアナログ変換してアナログ波形化した際に、音声処理部１６内にあるアナログフィルタのような或る周波数帯域をカットするような部品あるいは回路、一例としてある周波数より高い周波数帯域をカットするローパスフィルタ（図１１参照）を用いて、異音として再生される周波数帯をカットし、耳障りな音として再生されないようにする。逆に、ある周波数より低い周波数帯域をカットするハイパスフィルタのようなものでも状況に応じて使い分ければよい。
【０１１４】
以上のように本実施の形態によれば、受信ＶｏＩＰ端末装置５は、抜きパケットにより生じる周期的なノイズを除去するフィルタを有する音声処理部１６を備えたことにより、ブツブツ音に対応する周波数帯域を除去するような周波数帯域除去フィルタあるいは高周波を除去するローパスフィルタを周期的なノイズを除去するフィルタとして使用すれば、ブツブツ音のような耳障りな音を除去することができる。
【０１１５】
（実施の形態１０）
図１２は、本発明の実施の形態１０によるＶｏＩＰ送受信システムを構成する受信側音声伝送装置を示すブロック図である。
【０１１６】
図１２において、１６は抜きパケットにより生じる周期的なノイズをカットする音声処理部、１７は抜きパケットにより生じる周期的なノイズの周波数を検知するノイズ周波数検知部、１８Ａ、１８Ｂは周期的なノイズを除去するフィルタ、１９は図１０と同様のＤ／Ａ変換部である。
【０１１７】
このように構成された音声処理部１６について、その動作を説明する。
【０１１８】
Ｄ／Ａ変換部１９によってアナログ波形化された周波数について、予め設定したノイズ周波数帯域を検知するノイズ周波数検知部１７により、音声処理部１６内にある複数のフィルタ１８Ａ、１８Ｂを切り換えてノイズを除去する。フィルタは２種類としたが必要に応じて多種類設けてもよい。
【０１１９】
以上のように本実施の形態によれば、受信ＶｏＩＰ端末装置５は、抜きパケットにより生じる周期的なノイズの周波数を検知するノイズ周波数検知部１７と、周期的なノイズを除去する複数のフィルタ１８Ａ、１８Ｂとを備え、ノイズ周波数検知部１７は検知の結果に基いて複数のフィルタ１８Ａ、１８Ｂを切り替えることとしたものであり、周期的なノイズを除去するためのフィルタとして適正なフィルタを複数のフィルタ１８Ａ、１８Ｂから選択することができるので、ブツブツ音のような耳障りな音を除去する場合に確実かつ適正に除去することができる。
【０１２０】
（実施の形態１１）
実施の形態１１から実施の形態１９までは、ＩＰネットワーク４のトラフィックが増加しないように、まず送信側で所定の間隔でパケットを抜き、受信側での再生時に音質劣化しないようパケットの補間を行なうものである。
【０１２１】
図１３は、本発明の実施の形態１１〜１９によるＶｏＩＰ送受信システムを構成する送信側音声伝送装置（送信ＶｏＩＰ端末装置）を示すブロック図であり、図１に示すところの送信側において無音検知を使ってパケットを抜く方法を示すものである。
【０１２２】
図１３において、送信側音声伝送装置１、パケット送信部３、ＩＰネットワークＩ／Ｆ６、トラフィック検知部７、パケット送信制御部９は図１と同様のものなので、同一符号
を付し、説明は省略する。
【０１２３】
このように構成された送信側音声伝送装置１について、その動作を図１４を用いて説明する。図１４は、送信側音声伝送装置１のホワイトノイズをレベル（ｄＢｍ）で時間変化として示す波形図である。図１３において、４１４は送信側音声伝送装置１の日常生活で出るような周囲（背景）雑音ホワイトノイズ、２０は送信側音声伝送装置１内にあって人の会話を拾うようなマイクであり、人の会話中にマイク２０で周囲雑音１９を同時に拾うことになる。また、２１は音をある一定間隔でサンプリングしアナログからデジタル変換するなどのデータ処理する音声処理部、２２はサンプリングした音の中から無音部を検知する無音検知部である。ＩＰネットワーク４の混み具合を検知する方法は図１を用いた実施の形態１と同様である。
【０１２４】
通常、人が電話のような音声伝送装置で会話すると、相手の話を聞いている間や考え事をしている間は無音に近い状態になるが、ホワイトノイズ４１４などもあり、デジタル変換されデータとして先方（受信側）に送られるため、ＩＰネットワーク４が混むようになる。図１４に示すように、マイク２０からの音声をサンプリングする際、無音検知部２２でしきい値を決めて、しきい値以下のレベルの音声データは音声処理部２１でカットするようにする。なお、受信側については、図３を用いた実施の形態２の説明と同様で、抜いたパケット１０２を補間する方法としては、前に送出したパケット２２２を再度送出することで、ＩＰネットワーク４のトラフィック増を抑え、会話が途切れにくく、言葉と言葉の間隔をほぼ保つことができ違和感を減少できる。
【０１２５】
以上のように本実施の形態によれば、送信ＶｏＩＰ端末装置１は、音声を入力して音声信号を出力するマイク２０と、マイク２０からの音声信号を処理する音声処理部２１と、音声処理部２１における処理に基いて無音を検知する無音検知部２２とを備え、パケット送信制御部９は、無音の検知の区間である無音区間だけ所定の間隔で無音区間のパケットである無音部パケットを抜き、パケット補間部１２は、抜いた無音部パケットである抜き無音部パケットの前に送出した無音部パケットを用いて補間することにより、パケットのヘッダ情報に基いて受信した無音部パケットが抜き無音部パケットであるか否かを判定することができ、抜き無音部パケットであると判定した無音部パケットに対しては抜き無音部パケットの前に送出した無音部パケットを用いてパケット補間部１２により補間を行うことができるので、受信ＶｏＩＰ端末装置５で受信した無音部パケットに所定の間隔の途切れがある場合であっても、無音部パケットの途切れがないように補間することができ、ＩＰネットワーク４上のトラフィックが増加することを防止することができる。
【０１２６】
（実施の形態１２）
本発明の実施の形態１２によるＶｏＩＰ送受信システムを構成する送信側音声伝送装置は図１３の構成と同じで、受信側音声伝送装置は図４の構成と同じである。
【０１２７】
このように構成されたＶｏＩＰ送受信システムにおいては、後のパケット２３２を送出することで、ＩＰネットワーク４のトラフィック増を抑え、会話が途切れにくく、言葉と言葉の間隔をほぼ保つことができ違和感を減少できる。
【０１２８】
以上のように本実施の形態によれば、抜いた無音部パケットである抜き無音部パケットの後に送出した無音部パケットを用いて補間するパケット補間部１２を備えたことにより、受信ＶｏＩＰ端末装置５で受信した無音部パケットに所定の間隔の途切れがある場合であっても、無音部パケットの途切れがないように確実に補間することができる。
【０１２９】
（実施の形態１３）
本発明の実施の形態１３によるＶｏＩＰ送受信システムを構成する送信側音声伝送装置
は図１３の構成と同じで、受信側音声伝送装置は図５の構成と同じである。
【０１３０】
このように構成されたＶｏＩＰ送受信システムにおいては、前のパケット２２２と後のパケット２３２を任意に選択して平均した平均パケット２４２を送出して補間することで、ＩＰネットワーク４のトラフィック増を抑え、会話が途切れにくく、言葉と言葉の間隔をほぼ保つことができ違和感を減少できる。
【０１３１】
以上のように本実施の形態によれば、抜いた無音部パケットである抜き無音部パケットの前後に送出した無音部パケットを平均しかつ前後に送出した無音部パケットと同一サイズの無音部パケットを用いて補間するパケット補間部１２を備えたことにより、受信ＶｏＩＰ端末装置５で受信した無音部パケットに所定の間隔の途切れがある場合であっても、無音部パケットの途切れがないように確実に補間することができると共に無音部パケットが含む音声データのレベルに急激な変化がないように滑らかな補間を行うことができる。
【０１３２】
（実施の形態１４）
本発明の実施の形態１４によるＶｏＩＰ送受信システムを構成する送信側音声伝送装置は図１３の構成と同じで、受信側音声伝送装置は図６の構成と同じである。
【０１３３】
このように構成されたＶｏＩＰ送受信システムにおいては、前のパケット２２２と後のパケット２３２を任意に選択し、選択したパケットをそれぞれ半分にした前の１／２パケット３２２と後の１／２パケット３３２とを組み合わせた平均パケット３４２を送出して補間することで、ＩＰネットワーク４のトラフィック増を抑え、会話が途切れにくく、言葉と言葉の間隔をほぼ保つことができ違和感を減少できる。
【０１３４】
以上のように本実施の形態によれば、抜いた無音部パケットである抜き無音部パケットの前に送出した無音部パケットの半分と、抜き無音部パケットの後に送出した無音部パケットの半分とを加算しかつ前後に送出した無音部パケットと同一サイズの無音部パケットを用いて補間するパケット補間部１２を備えたことにより、受信ＶｏＩＰ端末装置５で受信した無音部パケットに所定の間隔の途切れがある場合であっても、無音部パケットの途切れがないように確実に補間することができると共に無音部パケットが含む音声データのレベルに急激な変化がないように滑らかな補間を行うことができる。
【０１３５】
（実施の形態１５）
本発明の実施の形態１５によるＶｏＩＰ送受信システムを構成する送信側音声伝送装置は図１３の構成と同じで、受信側音声伝送装置は図７の構成と同じである。
【０１３６】
このように構成されたＶｏＩＰ送受信システムにおいては、ホワイトノイズ１４を送出することで、ＩＰネットワーク４のトラフィック増を抑え、会話が途切れにくく、言葉と言葉の間隔をほぼ保つことができ違和感を減少できる。
【０１３７】
以上のように本実施の形態によれば、パケットと無音部パケットを受信して蓄積するための受信バッファ１０を有し、受信バッファ１０は、パケットと無音部パケットのヘッダ情報を参照するパケット送信制御部１１と、パケット送信制御部１１に指示されてホワイトノイズ１４を発生させると共にホワイトノイズ１４を用いて補間するホワイトノイズ制御部１３とを有する受信ＶｏＩＰ端末装置５を備えたことにより、例えばアナログ電話機で拾うようなホワイトノイズ１４により耳で聞く音の違和感を無くすことができ、また、受信したパケットと無音部パケットとを受信バッファにおいて一時的に蓄積する必要がないので、必要メモリ量を抑制することができる。
【０１３８】
（実施の形態１６）
本発明の実施の形態１６によるＶｏＩＰ送受信システムを構成する送信側音声伝送装置は図１３の構成と同じで、受信側音声伝送装置は図８の構成と同じである。
【０１３９】
このように構成されたＶｏＩＰ送受信システムにおいては、ホワイトノイズを学習し反映したホワイトノイズ４１４を送出することで、ＩＰネットワーク４のトラフィック増を抑え、会話が途切れにくく、言葉と言葉の間隔をほぼ保つことができ違和感を減少できる。
【０１４０】
以上のように本実施の形態によれば、パケットと無音部パケットを受信して蓄積するための受信バッファ１０を有し、受信バッファ１０は、パケットと無音部パケットのヘッダ情報を参照するパケット送信制御部１１と、パケット送信制御部１１に指示されて通話中に周辺雑音を測定しかつデジタル変換して記録するホワイトノイズ測定部１５と、ホワイトノイズ測定部１５に指示されてホワイトノイズ５１４を発生させると共にホワイトノイズ５１４を用いて補間するホワイトノイズ制御部１３とを有する受信ＶｏＩＰ端末装置５を備えたことにより、例えばアナログ電話機で拾うようなホワイトノイズ５１４により耳で聞く音の違和感を無くすことができ、また、受信したパケットと無音部パケットとを受信バッファにおいて一時的に蓄積する必要がないので、必要メモリ量を抑制することができる。
【０１４１】
（実施の形態１７）
本発明の実施の形態１７によるＶｏＩＰ送受信システムを構成する送信側音声伝送装置は図１３の構成と同じで、受信側音声伝送装置は図９の構成と同じである。
【０１４２】
このように構成されたＶｏＩＰ送受信システムにおいては、実施の形態１〜８に該当する任意のパケット３０２を繰り返し送出することで、ＩＰネットワーク４のトラフィック増を抑え、会話が途切れにくく、言葉と言葉の間隔をほぼ保つことができ違和感を減少できる。
【０１４３】
以上のように本実施の形態によれば、抜きパケットと抜かれた無音部パケットである抜き無音部パケットを次のパケットを受信するまで繰り返し補間するパケット補間部１２を備えたことにより、受信ＶｏＩＰ端末装置５で受信した無音部パケットに所定の間隔の途切れがある場合であっても、完全に無音部パケットの途切れを無くすことができる。
【０１４４】
（実施の形態１８）
本発明の実施の形態１８によるＶｏＩＰ送受信システムを構成する送信側音声伝送装置は図１３の構成と同じで、受信側音声伝送装置は図１０の構成と同じである。
【０１４５】
このように構成されたＶｏＩＰ送受信システムにおいては、異音として再生される周波数帯をカットし、耳障りな音として再生されないようにすることで、ＩＰネットワーク４のトラフィック増を抑え、会話が途切れにくく、言葉と言葉の間隔をほぼ保つことができ違和感を減少できる。
【０１４６】
以上のように本実施の形態によれば、受信ＶｏＩＰ端末装置５は、抜きパケットと抜かれた無音部パケットである抜き無音部パケットにより生じる周期的なノイズを除去するフィルタを有する音声処理部１６を備えたことにより、ブツブツ音（異常音）に対応する周波数帯域を除去するような周波数帯域除去フィルタあるいは高周波を除去するローパスフィルタを周期的なノイズを除去するフィルタとして使用すれば、ブツブツ音のような耳障りな音を除去することができる。
【０１４７】
（実施の形態１９）
本発明の実施の形態１９によるＶｏＩＰ送受信システムを構成する送信側音声伝送装置は図１３の構成と同じで、受信側音声伝送装置は図１２の構成と同じである。
【０１４８】
このように構成されたＶｏＩＰ送受信システムにおいては、異音として再生される周波数帯をカットし、耳障りな音として再生されないようにすることで、複数のフィルタ１８Ａ、１８Ｂを用いてノイズカットすることで、異音として再生される周波数帯をカットでき、耳障りな音として再生されないようにすることで、ＩＰネットワーク４のトラフィック増を抑え、会話が途切れにくく、言葉と言葉の間隔をほぼ保つことができ違和感を減少できる。
【０１４９】
以上のように本実施の形態によれば、受信ＶｏＩＰ端末装置５は、抜きパケットと抜かれた無音部パケットである抜き無音部パケットにより生じる周期的なノイズの周波数を検知するノイズ周波数検知部１７と、周期的なノイズを除去する複数のフィルタとを備え、ノイズ周波数検知部１７は検知の結果に基いて複数のフィルタ１８Ａ、１８Ｂを切り替えることにより、周期的なノイズを除去するためのフィルタとして適正なフィルタを複数のフィルタ１８Ａ、１８Ｂから選択することができるので、ブツブツ音のような耳障りな音を除去する場合に確実かつ適正に除去することができる。
【０１５０】
（実施の形態２０）
図１５は、本発明の実施の形態２０〜２８によるＶｏＩＰ送受信システムを構成する送信側音声伝送装置（送信ＶｏＩＰ端末装置）を示すブロック図であり、図１に示すところの送信側においてパケットを動的に抜く方法を示すものである。本実施の形態における受信側音声伝送装置（受信ＶｏＩＰ端末装置）の構成は図３に示す構成である。
【０１５１】
図１５において、送信側音声伝送装置１、パケット送信部３、ＩＰネットワーク４、ＩＰネットワークＩ／Ｆ６、トラフィック検知部７、パケット送信制御部９は図１と同様のものであり、同一符号を付し、説明は省略する。２３はトラフィック検知部７の指示に基いて、音質に影響を与えることなくパケットを抜くことができるか否かをパケットのヘッダ情報を参照しながら判定するパケット制御部である。
【０１５２】
このように構成された送信側音声伝送装置１について、その動作を説明する。
【０１５３】
図１５において、ＩＰネットワーク４のトラフィックを検知する方法は、実施の形態１と同様で、ＩＰネットワーク４上にダミーパケット８を送出し、その戻り具合で、トラフィック検知部７が混んでいるかどうか判定する。パケット制御部２３は常にパケット２のヘッダ情報を確認する。ＩＰネットワーク４が混んでいる場合、トラフィック検知部７はパケット制御部２３に指示を出し、パケット制御部２３は、抜いても音質に影響を与えないレベル、一例として（実施の形態１１）に示すような無音部パケット４０２あるいはデータ量が少ない点でパケットサイズの小さいパケット（サイズ小のパケット）４１２をその都度選択し、パケット送信制御部９に指示して抜くようにする。受信側では、送信側で抜いたパケット１０２の前に送出したパケット２２２をその都度送出して補間する。これにより、ＩＰネットワーク４のトラフィック増と、受信側での音途切れを防止できる。
【０１５４】
以上のように本実施の形態によれば、送信ＶｏＩＰ端末装置１は、パケットを順次ＩＰネットワークに送出するパケット送信部３と、ＩＰネットワーク４の混雑状況を示すトラフィックを検知してＩＰネットワーク４上の伝送可否を決定するトラフィック検知部７とを備え、パケット送信部３は、トラフィック検知部７における決定に基いてパケット送信部３から送出されるパケットを抜くパケット送信制御部９と、トラフィック検知部７の指示に基いて音質に影響を与えることなくパケットを抜くことができるか否かをパケットのヘッダ情報を参照しながら判定するパケット制御部２３とを有し、パケット送信制御部９
は、パケット制御部２３がパケットを抜くことができると判定した場合、パケット制御部２３の指示に基いてパケットを変動する間隔で抜き、パケット補間部１２は、変動する間隔で抜いたパケットである変動抜きパケットの前に送出したパケットを用いて補間することにより、トラフィック検知部７における決定に基いてパケットを抜く必要があると判定したときは無音部パケットやサイズ小のパケットなど音質への影響の少ないパケットを抜いて送信することができると共に送信するパケットにパケットを特定するヘッダ情報を付加することができ、パケットのヘッダ情報に基いて受信したパケットが変動抜きパケットであるか否かを判定することができ、変動抜きパケットであると判定したパケットに対してはパケット補間部１２により補間を行うことができるので、受信ＶｏＩＰ端末装置５で受信したパケットに変動する間隔の途切れがある場合であっても、変動抜きパケットの前に送出したパケットを用いてパケットの途切れがないように補間することができ、通話中に会話が途切れたり、欠落したり、急激に著しく歪んだりすることをＩＰネットワーク４上のトラフィックを増加することなく防止することができる。
【０１５５】
（実施の形態２１）
本発明の実施の形態２１によるＶｏＩＰ送受信システムを構成する送信側音声伝送装置の構成は図１５の構成と同じで、受信側音声伝送装置は図４の構成と同じである。
【０１５６】
このように構成された受信側音声伝送装置５において、パケット補間部１２は、後のパケット２３２を送出して補間することで、ＩＰネットワーク４のトラフィック増と、受信側での音の途切れを防止することができる。
【０１５７】
以上のように本実施の形態によれば、変動抜きパケットの後に送出したパケットを用いて補間するパケット補間部１２を備えたことにより、受信ＶｏＩＰ端末装置５で受信したパケットに変動する間隔の途切れがある場合であっても、変動抜きパケットの後に送出したパケットを用いてパケットの途切れがないように補間することができ、通話中に会話が途切れたり、欠落したり、急激に著しく歪んだりすることをＩＰネットワーク４上のトラフィックを増加することなく防止することができる。
【０１５８】
（実施の形態２２）
本発明の実施の形態２２によるＶｏＩＰ送受信システムを構成する送信側音声伝送装置の構成は図１５の構成と同じで、受信側音声伝送装置は図５の構成と同じである。
【０１５９】
このように構成された受信側音声伝送装置５において、前のパケット２２２と後のパケット２３２を任意に選択して平均した平均パケット２４２を送出して補間することで、ＩＰネットワーク４のトラフィック増と、受信側での音の途切れを防止することができる。
【０１６０】
以上のように本実施の形態によれば、変動抜きパケットの前後に送出したパケットを平均しかつ前後に送出したパケットと同一サイズにしたパケットを用いて補間するパケット補間部１２を備えたことにより、受信ＶｏＩＰ端末装置５で受信したパケットに所定の間隔の途切れがある場合であっても、パケットの途切れがないように確実に補間することができると共にパケットが含む音声データのレベルに急激な変化がないように滑らかな補間を行うことができる。
【０１６１】
（実施の形態２３）
本発明の実施の形態２３によるＶｏＩＰ送受信システムを構成する送信側音声伝送装置の構成は図１５の構成と同じで、受信側音声伝送装置は図６の構成と同じである。
【０１６２】
このように構成された受信側音声伝送装置５において、前のパケット２２２と後のパケット２３２を任意に選択し、選択したパケットをそれぞれ半分にした、前の１／２パケッ
ト３２２と後の１／２パケット３３２とを組み合わせた平均パケット３４２を送出して補間することで、ＩＰネットワーク４のトラフィック増と、受信側での音の途切れを防止することができる。
【０１６３】
以上のように本実施の形態によれば、変動抜きパケットの前に送出したパケットの半分と、抜きパケットの後に送出したパケットの半分とを加算しかつ抜きパケットの前後に送出したパケットと同一サイズにしたパケットを用いて補間するパケット補間部１２を備えたことにより、受信ＶｏＩＰ端末装置５で受信したパケットに変動する間隔の途切れがある場合であっても、変動抜きパケットの後に送出したパケットを用いてパケットの途切れがないように補間することができ、通話中に会話が途切れたり、欠落したり、急激に著しく歪んだりすることをＩＰネットワーク上のトラフィックを増加することなく防止することができる。
【０１６４】
（実施の形態２４）
本発明の実施の形態２４によるＶｏＩＰ送受信システムを構成する送信側音声伝送装置の構成は図１５の構成と同じで、受信側音声伝送装置は図７の構成と同じである。
【０１６５】
このように構成された受信側音声伝送装置５において、ホワイトノイズ制御部１３はホワイトノイズ１４を送出して補間することで、ＩＰネットワーク４のトラフィック増と、受信側での音の途切れを防止することができる。
【０１６６】
以上のように本実施の形態によれば、パケットを受信して蓄積するための受信バッファ１０を有し、受信バッファ１０は、パケットのヘッダ情報を参照するパケット送信制御部１１と、パケット送信制御部１１に指示されてホワイトノイズ１４を発生させると共にホワイトノイズ１４を用いて補間するホワイトノイズ制御部１３とを有する受信ＶｏＩＰ端末装置５を備えたことにより、例えばアナログ電話機で拾うようなホワイトノイズ１４により耳で聞く音の違和感を無くすことができ、また、受信バッファ１０において受信パケットを一時的に蓄積する必要がないので、必要メモリ量を抑制することができる。
【０１６７】
（実施の形態２５）
本発明の実施の形態２５によるＶｏＩＰ送受信システムを構成する送信側音声伝送装置の構成は図１５の構成と同じで、受信側音声伝送装置は図８の構成と同じである。
【０１６８】
このように構成された受信側音声伝送装置５において、ホワイトノイズ制御部１３はホワイトノイズを学習し反映したホワイトノイズ５１４を送出して補間することで、ＩＰネットワーク４のトラフィック増と、受信側での音の途切れを防止できる。
【０１６９】
以上のように本実施の形態によれば、パケットを受信して蓄積するための受信バッファ１０を有し、受信バッファ１０は、パケットのヘッダ情報を参照するパケット送信制御部１１と、パケット送信制御部１１に指示されて通話中に周辺雑音を測定しかつデジタル変換して記録するホワイトノイズ測定部１５と、ホワイトノイズ測定部１５に指示されてホワイトノイズ５１４を発生させると共にホワイトノイズ５１４を用いて補間するホワイトノイズ制御部１３とを有する受信ＶｏＩＰ端末装置５を備えたことにより、例えばアナログ電話機で拾うようなホワイトノイズ５１４により耳で聞く音の違和感を無くすことができ、また、受信バッファ１０において受信パケットを一時的に蓄積する必要がないので、必要メモリ量を抑制することができる。
【０１７０】
（実施の形態２６）
本発明の実施の形態２６によるＶｏＩＰ送受信システムを構成する送信側音声伝送装置の構成は図１５の構成と同じで、受信側音声伝送装置は図９の構成と同じである。
【０１７１】
このように構成された受信側音声伝送装置５において、実施の形態１〜８に該当する任意のパケット３０２を繰り返し送出して補間することで、ＩＰネットワーク４のトラフィック増と、受信側での音の途切れを防止することができる。
【０１７２】
以上のように本実施の形態によれば、変動抜きパケットを次のパケットを受信するまで繰り返し補間するパケット補間部１２を備えたことにより、受信ＶｏＩＰ端末装置５で受信したパケットに変動する間隔の途切れがある場合であっても、完全にパケットの途切れを無くすことができる。
【０１７３】
（実施の形態２７）
本発明の実施の形態２７によるＶｏＩＰ送受信システムを構成する送信側音声伝送装置の構成は図１５の構成と同じで、受信側音声伝送装置は図１０の構成と同じである。
【０１７４】
このように構成された受信側音声伝送装置５において、音声処理部１６は異音として再生される周波数帯をカットし、耳障りな音として再生されないようにすることで、ＩＰネットワーク４のトラフィック増と、受信側での音の途切れを防止することができる。
【０１７５】
以上のように本実施の形態によれば、受信ＶｏＩＰ端末装置５は、抜きパケットにより生じる周期的なノイズを除去するフィルタを有する音声処理部１６を備えたことにより、ブツブツ音に対応する周波数帯域を除去するような周波数帯域除去フィルタあるいは高周波を除去するローパスフィルタを周期的なノイズを除去するフィルタとして使用すれば、ブツブツ音のような耳障りな音を除去することができる。
【０１７６】
（実施の形態２８）
本発明の実施の形態２７によるＶｏＩＰ送受信システムを構成する送信側音声伝送装置の構成は図１５の構成と同じで、受信側音声伝送装置は図１２の構成と同じである。
【０１７７】
このように構成された受信側音声伝送装置５において、複数のフィルタ１８Ａ、１８Ｂを用いてノイズカットすることで、異音として再生される周波数帯をカットでき、耳障りな音として再生されないようにすることで、ＩＰネットワーク４のトラフィック増と、受信側での音の途切れを防止することができる。
【０１７８】
以上のように本実施の形態によれば、受信ＶｏＩＰ端末装置５は、抜きパケットにより生じる周期的なノイズの周波数を検知するノイズ周波数検知部１７と、周期的なノイズを除去する複数のフィルタ１８Ａ、１８Ｂとを備え、ノイズ周波数検知部１７は検知の結果に基いて複数のフィルタ１８Ａ、１８Ｂを切り替えることにより、周期的なノイズを除去するためのフィルタとして適正なフィルタを複数のフィルタ１８Ａ、１８Ｂから選択することができるので、ブツブツ音のような耳障りな音を除去する場合に確実かつ適正に除去することができる。
【０１７９】
（実施の形態２９）
図１６は、本発明の実施の形態２９によるＶｏＩＰ送受信システムを構成する送信側音声伝送装置を示すブロック図であり、図１３に示すところの無音部のパケット１０２を数回に１回送信する場合を示す。送信側音声伝送装置１の概略構成は図１３の実施の形態１１と同様に実現し、受信側音声伝送装置５は最後に受け取ったパケットを繰り返すことで実現する。送信側音声伝送装置１が実施の形態１１の図１３と異なる点は、実施の形態１１ではＩＰネットワーク４のトラフィック増を防止することに主眼をおいて無音部パケット１０２を全て抜くこととしたが、ここでは音質に主眼をおいて数回に１回抜くこととしたことである。これにより、ＩＰネットワーク４のトラフィックが増加し、パケットの遅
延が生じる。これを補うために、受信側で次のパケットが来るまで繰り返すようにしたため、受信側での音の途切れを防止することができる。
【０１８０】
以上のように本実施の形態によれば、送信ＶｏＩＰ端末装置１は、音声を入力して音声信号を出力するマイク２０と、マイク２０からの音声信号を処理する音声処理部２１と、音声処理部２１における処理に基いて無音を検知する無音検知部２２とを備え、パケット送信制御部に代えて、無音検知の区間である無音区間だけ数回に１回の間隔で無音区間のパケットである無音部パケット１０２を抜くパケット送信制御部９を備え、受信ＶｏＩＰ端末装置５は、変動抜きパケットを次のパケットを受信するまで繰り返し補間するパケット補間部１２を備えたことにより、無音区間における音質を維持することができると共に、受信ＶｏＩＰ端末装置５で受信したパケットに変動する間隔の途切れがある場合であっても、完全にパケットの途切れを無くすことができる。
【０１８１】
（実施の形態３０）
実施の形態３０〜３８は、受信側でパケットが溢れそうになった場合、先に受信バッファ１０において所定の間隔でパケットを抜き、再生時の音質劣化を防止するために、前述した実施の形態２〜１０までをそれぞれ組み合わせたものである。
【０１８２】
図１７は、本発明の実施の形態３０〜３８によるＶｏＩＰ送受信システムを構成する受信側音声伝送装置（受信ＶｏＩＰ端末装置）を示すブロック図であり、受信バッファ１０において溢れそうなパケットを所定の間隔で抜く受信側音声伝送装置を示す。
【０１８３】
図１７において、受信側音声伝送装置５、ＩＰネットワークインタフェース６、受信バッファ１０、パケット送信制御部１１、パケット補間部１２は図１と同様のものなので、同一符号を付し、説明は省略する。
【０１８４】
このように構成された受信側音声伝送装置５において、パケット送信制御部１１が受信バッファ１０内のパケット２の量を検知し、溢れそうな場合は、ＩＰネットワーク４を経由して送信側から送られたパケット２の群から受信バッファ１０内のパケット送信制御部１１がパケット２を所定の間隔で抜く。この場合、パケット２のヘッダ情報を参照し、実施の形態１１以降で述べたように受信側での音声再生時の音質に影響が出ないように、所定の間隔でパケットを抜くことになる。なお、音質に影響を与えないという点では、抜くパケットとして、無音部パケット４０２あるいはサイズ小のパケット４１２が望ましい。その後は、（実施の形態２）に示すように、再生時の音質劣化防止のため、パケット補間する。パケット送信制御部１１の指令に基いて、抜いたパケットを必要に応じて補間するために、一時的に記録する機能を有するパケット補間部１２にて、抜いたパケット１０２の前のパケット２２２を送出する。これにより、受信側での音の途切れを防止することができる。
【０１８５】
以上のように本実施の形態によれば、パケット送信制御部１１は受信バッファ１０において受信パケットが溢れそうか否かを判定し、受信パケットが溢れそうと判定したときは受信パケットを所定の間隔で抜き、パケット補間部１２は、所定の間隔で抜いた受信パケットである抜き受信パケットを抜き受信パケットの前に送出した受信パケットを用いて補間することにより、受信バッファ１０において受信パケットが溢れそうになったときはパケット送信制御部１１において所定の間隔で受信パケットを抜き、抜き受信パケットの部分は前に送出した受信パケットを用いて補間することができるので、受信ＶｏＩＰ端末装置５において受信パケットが過剰になった場合であっても、パケットの途切れがないように補間することができ、通話中に会話が途切れたり、欠落したり、急激に著しく歪んだりすることをＩＰネットワーク４上のトラフィックを増加することなく防止することができる。
【０１８６】
（実施の形態３１）
本発明の実施の形態３１によるＶｏＩＰ送受信システムを構成する受信側音声伝送装置の構成は図１７および図４の構成である。
【０１８７】
このように構成されたＶｏＩＰ送受信システムにおいて、まず、受信側でパケットを抜くことは図１７の実施の形態３０と同様で、その後、抜いたパケットを補間することは図４の実施の形態３を組み合わせることで実現する。パケット補間部１２は、後のパケット２３２を送出することで、ＩＰネットワーク４のトラフィック増と、受信側での音の途切れを防止することができる。
【０１８８】
以上のように本実施の形態によれば、所定の間隔で抜いた受信パケットである抜き受信パケットを抜き受信パケットの後に送出した受信パケットを用いて補間するパケット補間部１２を備えたことにより、抜き受信パケットの部分は後に送出した受信パケットを用いて補間することができるので、受信ＶｏＩＰ端末装置５において受信パケットが過剰になった場合であっても、パケットの途切れがないように補間することができ、通話中に会話が途切れたり、欠落したり、急激に著しく歪んだりすることをＩＰネットワーク４上のトラフィックを増加することなく防止することができる。
【０１８９】
（実施の形態３２）
本発明の実施の形態３２によるＶｏＩＰ送受信システムを構成する受信側音声伝送装置の構成は図１７および図５の構成である。
【０１９０】
このように構成されたＶｏＩＰ送受信システムにおいて、まず受信側でパケットを抜くことは図１７の実施の形態３０と同様で、その後、抜いたパケットを補間することは図５の実施の形態４を組み合わせることで実現する。パケット補間部１２は、前のパケット２２２と後のパケット２３２を任意に選択して平均した平均パケット２４２を送出して補間することで、ＩＰネットワーク４のトラフィック増を抑え、会話が途切れにくく、言葉と言葉の間隔をほぼ保つことができ違和感を減少することができる。
【０１９１】
以上のように本実施の形態によれば、所定の間隔で抜いた受信パケットである抜き受信パケットを抜き受信パケットの前後に送出した受信パケットを平均しかつ前後に送出した受信パケットと同一サイズにした受信パケットを用いて補間するパケット補間部１２を備えたことにより、受信ＶｏＩＰ端末装置５が過剰にパケットを受信した場合であっても、パケットの途切れがないように確実に補間することができると共にパケットが含む音声データのレベルに急激な変化がないように滑らかな補間を行うことができる。
【０１９２】
（実施の形態３３）
本発明の実施の形態３３によるＶｏＩＰ送受信システムを構成する受信側音声伝送装置の構成は図１７および図６の構成である。
【０１９３】
このように構成されたＶｏＩＰ送受信システムにおいて、まず受信側でパケットを抜くことは図１７の実施の形態３０と同様で、その後、抜いたパケットを補間することは図６の実施の形態５を組み合わせることで実現する。パケット補間部１２は、前のパケット２２２と後のパケット２３２を任意に選択し、選択したパケットをそれぞれ半分にした、前の１／２パケット３２２と後の１／２パケット３３２とを組み合わせた平均パケット３４２を送出して補間することで、ＩＰネットワーク４のトラフィック増を抑え、会話が途切れにくく、言葉と言葉の間隔をほぼ保つことができ違和感を減少することができる。
【０１９４】
所定の間隔で抜いた受信パケットである抜き受信パケットを抜き受信パケットの前に送
出した受信パケットの半分と、抜きパケットの後に送出した受信パケットの半分とを加算しかつ抜き受信パケットの前後に送出した受信パケットと同一サイズにした受信パケットを用いて補間するパケット補間部１２を備えたことにより、受信ＶｏＩＰ端末装置５が過剰にパケットを受信した場合であっても、パケットの途切れがないように確実に補間することができると共にパケットが含む音声データのレベルに急激な変化がないように滑らかな補間を行うことができる。
【０１９５】
（実施の形態３４）
本発明の実施の形態３４によるＶｏＩＰ送受信システムを構成する受信側音声伝送装置の構成は図１７および図７の構成である。
【０１９６】
このように構成されたＶｏＩＰ送受信システムにおいて、まず受信側でパケットを抜くことは図１７の実施の形態３０と同様で、その後、抜いたパケットを補間することは図７の実施の形態６を組み合わせることで実現する。ホワイトノイズ制御部１３は、ホワイトノイズ１４を送出して補間することで、ＩＰネットワーク４のトラフィック増を抑え、会話が途切れにくく、言葉と言葉の間隔をほぼ保つことができ違和感を減少することができる。
【０１９７】
以上のように本実施の形態によれば、受信ＶｏＩＰ端末装置５は、パケット送信制御部１１に指示されてホワイトノイズ１４を発生させるホワイトノイズ制御部１３を備え、ホワイトノイズ制御部１３は、パケット送信制御部１１において受信パケットが溢れそうと判定したときは発生したホワイトノイズ１４を用いて補正することにより、例えばアナログ電話機で拾うようなホワイトノイズ１４により耳で聞く音の違和感を無くすことができ、また、受信バッファ１０において受信パケットを一時的に蓄積する必要がないので、必要メモリ量を抑制することができる。
【０１９８】
（実施の形態３５）
本発明の実施の形態３５によるＶｏＩＰ送受信システムを構成する受信側音声伝送装置の構成は図１７および図８の構成である。
【０１９９】
このように構成されたＶｏＩＰ送受信システムにおいて、まず受信側でパケットを抜くことは図１７の実施の形態３０と同様で、その後、抜いたパケットを補間することは図８の実施の形態７を組み合わせることで実現する。ホワイトノイズ制御部１３は、ホワイトノイズを学習し反映したホワイトノイズ５１４を送出して補間することで、ＩＰネットワーク４のトラフィック増を抑え、会話が途切れにくく、言葉と言葉の間隔をほぼ保つことができ違和感を減少することができる。
【０２００】
以上のように本実施の形態によれば、受信ＶｏＩＰ端末装置５は、パケット送信制御部１１において受信パケット１０が溢れると判定したときは通話中に周辺雑音を測定しかつデジタル変換して記録するホワイトノイズ測定部１５と、ホワイトノイズ測定部１５に指示されてホワイトノイズ５１４を発生させるホワイトノイズ制御部１３とを備え、ホワイトノイズ制御部１３は、パケット送信制御部１１において受信パケットが溢れそうと判定したときは発生したホワイトノイズ５１４を用いて補間することにより、例えばアナログ電話機で拾うようなホワイトノイズ５１４により耳で聞く音の違和感を無くすことができ、また、受信バッファ１０において受信パケットを一時的に蓄積する必要がないので、必要メモリ量を抑制することができる。
【０２０１】
（実施の形態３６）
本発明の実施の形態３６によるＶｏＩＰ送受信システムを構成する受信側音声伝送装置の構成は図１７および図９の構成である。
【０２０２】
このように構成されたＶｏＩＰ送受信システムにおいて、まず受信側でパケットを抜くことは図１７の実施の形態３０と同様で、その後、抜いたパケットを補間することは図９の実施の形態８を組み合わせることで実現する。パケット補間部１２は、実施の形態１〜８に該当する任意のパケット３０２を繰り返し送出して補間することで、ＩＰネットワーク４のトラフィック増を抑え、会話が途切れにくく、言葉と言葉の間隔をほぼ保つことができ違和感を減少することができる。
【０２０３】
以上のように本実施の形態によれば、所定の間隔で抜いた受信パケットである抜き受信パケットを次に受信パケットを受信するまで繰り返し補間するパケット補間部１２を備えたことにより、受信ＶｏＩＰ端末装置５で受信したパケットに所定の間隔の途切れがある場合であっても、完全にパケットの途切れを無くすことができる。
【０２０４】
（実施の形態３７）
本発明の実施の形態３７によるＶｏＩＰ送受信システムを構成する受信側音声伝送装置の構成は図１７および図１０の構成である。
【０２０５】
このように構成されたＶｏＩＰ送受信システムにおいて、まず受信側でパケットを抜くことは図１７の実施の形態３０と同様で、その後、抜いたパケットを補間することは図１０の実施の形態９を組み合わせることで実現する。異音として再生される周波数帯をカットし、耳障りな音として再生されないようにすることで、ＩＰネットワーク４のトラフィック増を抑え、会話が途切れにくく、言葉と言葉の間隔をほぼ保つことができ違和感を減少することができる。
【０２０６】
以上のように本実施の形態によれば、受信ＶｏＩＰ端末装置５は、抜き受信パケットにより生じる周期的なノイズを除去するフィルタを有する音声処理部１６を備えたことにより、ブツブツ音に対応する周波数帯域を除去するような周波数帯域除去フィルタあるいは高周波を除去するローパスフィルタを周期的なノイズを除去するフィルタとして使用すれば、ブツブツ音のような耳障りな音を除去することができる。
【０２０７】
（実施の形態３８）
本発明の実施の形態３８によるＶｏＩＰ送受信システムを構成する受信側音声伝送装置の構成は図１７および図１２の構成である。
【０２０８】
このように構成されたＶｏＩＰ送受信システムにおいて、まず受信側でパケットを抜くことは図１７の実施の形態３０と同様で、その後、抜いたパケットを補間することは図１２の実施の形態１０を組み合わせることで実現する。複数のフィルタ１８Ａ、１８Ｂを用いてノイズカットすることで、異音として再生される周波数帯をカットでき、耳障りな音として再生されないようにすることで、ＩＰネットワーク４のトラフィック増を抑え、会話が途切れにくく、言葉と言葉の間隔をほぼ保つことができ違和感を減少することができる。
【０２０９】
以上のように本実施の形態によれば、受信ＶｏＩＰ端末装置５は、抜き受信パケットにより生じる周期的なノイズの周波数を検知するノイズ周波数検知部１７と、周期的なノイズを除去する複数のフィルタ１８Ａ、１８Ｂとを備え、ノイズ周波数検知部１７は検知の結果に基いて複数のフィルタ１８Ａ、１８Ｂを切り替えることにより、周期的なノイズを除去するためのフィルタとして適正なフィルタを複数のフィルタ１８Ａ、１８Ｂから選択することができるので、ブツブツ音のような耳障りな音を除去する場合に確実かつ適正に除去することができる。
【産業上の利用可能性】
【０２１０】
本発明は、音声データとヘッダ情報とを含むパケットをＩＰネットワークに送出する送信ＶｏＩＰ端末装置と、送信ＶｏＩＰ端末装置からＩＰネットワークを経由してパケットを受信する受信ＶｏＩＰ端末装置とから成るＶｏＩＰ送受信システムに関し、ＩＰネットワークを介した通話において、通話中に会話が途切れたり、欠落したり、急激に著しく歪んだりするのを防止することができる。
【図面の簡単な説明】
【０２１１】
【図１】本発明の実施の形態１による送信ＶｏＩＰ端末装置と受信ＶｏＩＰ端末装置とを有するＶｏＩＰ送受信システムを示すブロック図
【図２】（ａ）ＩＰネットワークが混んでいない場合を示す説明図、（ｂ）ＩＰネットワークが混んでいる場合を示す説明図
【図３】本発明の実施の形態２によるＶｏＩＰ送受信システムを構成する受信側音声伝送装置を示すブロック図
【図４】本発明の実施の形態３によるＶｏＩＰ送受信システムを構成する受信側音声伝送装置を示すブロック図
【図５】本発明の実施の形態４によるＶｏＩＰ送受信システムを構成する受信側音声伝送装置を示すブロック図
【図６】本発明の実施の形態５によるＶｏＩＰ送受信システムを構成する受信側音声伝送装置を示すブロック図
【図７】本発明の実施の形態６によるＶｏＩＰ送受信システムを構成する受信側音声伝送装置を示すブロック図
【図８】本発明の実施の形態７によるＶｏＩＰ送受信システムを構成する受信側音声伝送装置を示すブロック図
【図９】本発明の実施の形態８によるＶｏＩＰ送受信システムを構成する受信側音声伝送装置を示すブロック図
【図１０】本発明の実施の形態９によるＶｏＩＰ送受信システムを構成する受信側音声伝送装置を示すブロック図
【図１１】カットされる周波数帯域を示すグラフ
【図１２】本発明の実施の形態１０によるＶｏＩＰ送受信システムを構成する受信側音声伝送装置を示すブロック図
【図１３】本発明の実施の形態１１〜１９によるＶｏＩＰ送受信システムを構成する送信側音声伝送装置を示すブロック図
【図１４】送信側音声伝送装置のホワイトノイズをレベルで時間変化として示す波形図
【図１５】本発明の実施の形態２０〜２８によるＶｏＩＰ送受信システムを構成する送信側音声伝送装置を示すブロック図
【図１６】本発明の実施の形態２９によるＶｏＩＰ送受信システムを構成する送信側音声伝送装置を示すブロック図
【図１７】本発明の実施の形態３０〜３８によるＶｏＩＰ送受信システムを構成する受信側音声伝送装置（受信ＶｏＩＰ端末装置）を示すブロック図
【図１８】ＩＰネットワークを示す説明図
【符号の説明】
【０２１２】
１    送信側音声伝送装置
３    パケット送信部
４    ＩＰネットワーク
５    受信側音声伝送装置
６    ＩＰネットワークＩ／Ｆ（ＩＰネットワークインタフェース）
７    トラフィック検知部
９    パケット送信制御部
１０    受信バッファ
１１    パケット送信制御部
１２    パケット補間部
１３    ホワイトノイズ制御部
１５    ホワイトノイズ測定部
１６    音声処理部
１７    ノイズ周波数検知部
１８    フィルタ
１９    Ｄ／Ａ変換部
２０    マイク
２１    音声処理部
２２    無音検知部
２３    パケット制御部
【図１】
2005294983.tif 000003
【図２】
2005294983.tif 000004
【図３】
2005294983.tif 000005
【図４】
2005294983.tif 000006
【図５】
2005294983.tif 000007
【図６】
2005294983.tif 000008
【図７】
2005294983.tif 000009
【図８】
2005294983.tif 000010
【図９】
2005294983.tif 000011
【図１０】
2005294983.tif 000012
【図１１】
2005294983.tif 000013
【図１２】
2005294983.tif 000014
【図１３】
2005294983.tif 000015
【図１４】
2005294983.tif 000016
【図１５】
2005294983.tif 000017
【図１６】
2005294983.tif 000018
【図１７】
2005294983.tif 000019
【図１８】
2005294983.tif 000020